(57)【要約】本発明は、ユーザに適した情報を提供可能な情報通知制御装置、報通知制御方法を提供することを目的とする。第１通知情報を受信する通知情報受信部１０１と、第１通知情報の種類及び／または内容を解析する通知情報解析部１０２と、前記解析結果の時間的変化を管理するとともに、前記解析結果と対応付けて第１通知情報を保存する通知情報管理部１０３と、通知情報管理部１０３内の第１通知情報の解析結果の時間的変化からユーザ状況を判定するユーザ状況判定部１０５と、ユーザ状況に応じて第１通知情報からユーザ端末に出力する第２通知情報を選択する通知情報選択部１０７とを含むことを特徴とする情報通知制御装置を提供する。これにより、ユーザが現在受信している情報の種類、内容、頻度などから、ユーザの現在の状況を判定し、判定した状況に応じて、適切な通知制御を行うことができる。【特許請求の範囲】
【請求項１】
第１通知情報の中から第２通知情報を選択して出力する情報通知制御装置であって、
前記第１通知情報を受信する通知情報受信部と、
前記通知情報受信部が受信した第１通知情報の種類及び／または内容を解析する通知情報解析部と、
前記通知情報解析部による解析結果の時間的変化を管理するとともに、前記解析結果と対応付けて、前記通知情報受信部で受信した第１通知情報を保存する通知情報管理部と、
前記通知情報管理部で保存されている第１通知情報の解析結果の時間的変化からユーザ状況を判定するユーザ状況判定部と、
前記ユーザ状況に応じて前記通知情報管理部内の前記第１通知情報から前記第２通知情報を選択する通知情報選択部と、
前記第２通知情報を出力する出力部と、
を含むことを特徴とする情報通知制御装置。
【請求項２】
前記ユーザ状況に対応付けて前記第１通知情報の情報優先度を管理する情報優先度管理部をさらに含み、
前記通知情報選択部は、前記ユーザ状況判定部により判定したユーザ状況に対応する情報優先度に応じて、前記通知情報管理部内の前記第１通知情報から第２通知情報を選択することを特徴とする、請求項１に記載の情報通知制御装置。
【請求項３】
前記ユーザ状況に応じた前記第２通知情報の出力方法を管理する出力方法管理部をさらに含み、
前記出力部は、前記ユーザ状況判定部により判定したユーザ状況に対応する出力方法に応じて、前記第２通知情報を出力することを特徴とする、請求項１に記載の情報通知制御装置。
【請求項４】
前記通知情報解析部は、情報の送信元に基づいて情報をカテゴリ分けするための送信元リストを保持し、前記通知情報受信部で受信した第１通知情報に含まれる送信元に関する情報に対して、前記送信元リストを適用することで、受信した第１通知情報の種類及び／または内容を解析することを特徴とする請求項１に記載の情報通知制御装置。
【請求項５】
前記通知情報解析部は、特定の単語と情報カテゴリとの関連性を示す重み付き単語リストを保持し、前記通知情報受信部で受信した第１通知情報に含まれる単語に対して、前記重み付き単語リストを適用することで、第１通知情報の種類及び／または内容を解析することを特徴とする請求項１に記載の情報通知制御装置。
【請求項６】
前記通知情報解析部は、情報の意味的な関係を記述したオントロジーを保持し、前記通知情報受信部で受信した第１通知情報に含まれるメタデータに対して、前記オントロジーによる意味解釈を行うことで、第１通知情報の種類及び／または内容を解析することを特徴とする請求項１に記載の情報通知制御装置。
【請求項７】
前記通知情報解析部は、前記通知情報受信部で受信した第１通知情報に含まれる画像情報に対し画像認識を行うことで、情報の種類及び／または内容を解析することを特徴とする請求項１に記載の情報通知制御装置。
【請求項８】
ユーザ情報を取得するセンシング情報取得部を備え、
前記ユーザ状況判定部は、前記通知情報管理部で保存されている第１通知情報の解析結果の時間的変化に加え、前記センシング情報取得部から取得したユーザ情報の時間的変化に基づいてユーザの状況を判定することを特徴とする請求項１に記載の情報通知制御装置。
【請求項９】
前記通知情報管理部で保存されている第１通知情報には、第１通知情報の種類、内容および受信頻度の少なくとも一つが含まれており、
前記ユーザ状況判定部は、前記第１通知情報の種類、内容および受信頻度の少なくとも一つからユーザ状況を判定することを特徴とする請求項１に記載の情報通知制御装置。
【請求項１０】
前記出力部は、未送信の情報を集約して出力することを特徴とする、請求項２に記載の情報通知制御装置。
【請求項１１】
前記出力部は、前記情報優先度の低い情報を集約して出力することを特徴とする請求項１０に記載の情報通知制御装置。
【請求項１２】
前記情報優先度に対応付けて前記第２通知情報の出力タイミングを管理する出力タイミング管理部をさらに含み、
前記出力部は、前記第２通知情報の情報優先度に応じた出力タイミングで第２通知情報を出力することを特徴とする請求項２に記載の情報通知制御装置。
【請求項１３】
前記情報優先度に対応付けて前記第２通知情報を出力するユーザ端末を管理する出力端末管理部をさらに含み、
前記出力部は、前記第２通知情報の情報優先度に応じたユーザ端末に第２通知情報を通知することを特徴とする請求項２に記載の情報通知制御装置。
【請求項１４】
第１通知情報の中から第２通知情報を選択して出力する、コンピュータが実行する情報通知制御方法であって、
前記第１通知情報を受信する通知情報受信ステップと、
前記通知情報受信ステップで受信した第１通知情報の種類及び／または内容を解析する通知情報解析ステップと、
前記通知情報解析ステップによる解析結果の時間的変化を管理するとともに、前記解析結果と対応付けて、前記通知情報受信ステップで受信した第１通知情報を保存する通知情報管理ステップと、
前記通知情報管理ステップで保存されている第１通知情報の解析結果の時間的変化からユーザ状況を判定するユーザ状況判定ステップと、
前記ユーザ状況に応じて前記通知情報管理部ステップで記憶されている前記第１通知情報から第２通知情報を選択する通知情報選択ステップと、
前記第２通知情報を出力する出力ステップと、
を含むことを特徴とする情報通知制御方法。
【請求項１５】
第１通知情報の中から第２通知情報を選択して出力する情報通知制御プログラムであって、
前記第１通知情報を受信する通知情報受信手段、
前記通知情報受信手段が受信した第１通知情報の種類及び／または内容を解析する通知情報解析手段、
前記通知情報解析手段による解析結果の時間的変化を管理するとともに、前記解析結果と対応付けて、前記通知情報受信手段で受信した第１通知情報を保存する通知情報管理手段、
前記通知情報管理手段で保存されている第１通知情報の解析結果の時間的変化からユーザ状況を判定するユーザ状況判定手段、
前記ユーザ状況に応じて前記通知情報管理手段内の前記第１通知情報から前記第２通知情報を選択する通知情報選択手段、及び
前記第２通信通知情報を出力する出力手段としてコンピュータを機能させることを特徴とする情報通知制御プログラム。
【請求項１６】
第１通知情報の中から第２通知情報を選択して出力する情報通知制御装置が実行する情報通知制御プログラムを記録した、コンピュータ読み取り可能な記録媒体であって、
前記第１通知情報を受信する通知情報受信ステップと、
前記通知情報受信ステップで受信した第１通知情報の種類及び／または内容を解析する通知情報解析ステップと、
前記通知情報解析ステップによる解析結果の時間的変化を管理するとともに、前記解析結果と対応付けて、前記通知情報受信ステップで受信した第１通知情報を保存する通知情報管理ステップと、
前記通知情報管理ステップで保存されている第１通知情報の解析結果の時間的変化からユーザ状況を判定するユーザ状況判定ステップと、
前記ユーザ状況に応じて前記通知情報管理部ステップで記憶されている前記第１通知情報から前記第２通知情報を選択する通知情報選択ステップと、
前記第２通知情報を出力する出力ステップと、
を実行する情報通知制御プログラムを記録した、コンピュータ読み取り可能な記録媒体。
【発明の詳細な説明】
【技術分野】
【０００１】  本発明は、ユーザに対する情報通知の方法を制御する装置に関するものである。
【背景技術】
【０００２】  従来、ユーザに対する情報通知の方法を制御する装置としては、ユーザの現在位置に関する情報、ユーザの近傍にいる人や周辺にある店舗に関する情報を利用して、ユーザに通知する情報の種類や内容を決定するものがあった（例えば、特許文献１参照）。これによってユーザは、例えば近傍の店舗の広告情報など、現在の自分の居場所に応じた情報を受け取ることができる。【０００３】  また、ユーザ宛に送信されたメールの内容を分析し、メールの中身に含まれる単語の種類や出現頻度から、そのメールがユーザにとって不要であるかどうかを判定する方法も提案されている。（例えば、特許文献２参照）。これによってユーザはスパムメールなど、不必要なメール受信によって不快になることを防止することができる。
【特許文献１】特開平１０−２１７３２６号公報
【特許文献２】特開２００１−２５６７９５号公報
【発明の開示】
【０００４】  しかしながら、ユーザに通知する情報を決定するのに、ユーザの位置や周辺情報などユーザ側の情報だけを用いるだけでは充分ではない。例えば、ホームセキュリティシステムから家族の安否に関わる情報を通知されているユーザに、周辺の娯楽情報を通知することは適切ではなく、ユーザの気分を害する可能性がある。
【０００５】  また、ユーザに通知する情報を判定するのに、単語の出現頻度など統計的な情報だけから、メールの内容を分析して、通知の可否を決定する方法だけでは充分ではない。例えば、普段は地域、コミュニティなどに関する単語を多く含む情報を不要メールとしてフィルタリングするユーザであっても、災害時などでは、自分の身の回りの被害を把握するために、地域に関する情報を多く含む情報を優先して収集しなくてはならない可能性もある。
【０００６】  本発明は、前記従来の課題を解決するもので、ユーザに適した情報を提供可能な情報通知制御装置、情報通知制御方法を提供することを目的とする。
【０００７】  前記課題を解決するために、本願第１発明は、第１通知情報の中から第２通知情報を選択して出力する情報通知制御装置を提供する。前記情報通知制御装置は、前記第１通知情報を受信する通知情報受信部と、前記通知情報受信部が受信した第１通知情報の種類及び／または内容を解析する通知情報解析部と、前記通知情報解析部による解析結果の時間的変化を管理するとともに、前記解析結果と対応付けて、前記通知情報受信部で受信した第１通知情報を保存する通知情報管理部と、前記通知情報管理部で保存されている第１通知情報の解析結果の時間的変化からユーザ状況を判定するユーザ状況判定部と、前記ユーザ状況に応じて前記通知情報管理部内の前記第１通知情報から前記第２通知情報を選択する通知情報選択部と、前記第２通知情報を出力する出力部とを含むことを特徴とする。
【０００８】  前記情報通知制御装置は、ユーザ状況の時間的変化に基づいて、ユーザ端末に通知される第１通知情報の中から第２通知情報を選択する。そして、選択された第２通知情報をユーザ端末又は自端末のディスプレイ等に出力するため、刻々と変化するユーザ状況に応じた情報をユーザに提供することができる。そのため、例えば以前はユーザが関心を有していなかった情報であっても、ユーザに提供される第１通知情報を例えば情報の種類、内容や頻度の面から解析して時間的変化を管理することで、ユーザが関心を示し始めたというユーザ状況の変化を検出することができる。そして、変化したユーザ状況に応じた情報を選択してユーザに提供することで、ユーザに適合する情報を提供することができる。この結果、地域の災害情報を待っているユーザに娯楽情報が通知され、ユーザの気分を害するような事態を防止することができる。
【０００９】  なお、情報通知制御装置がサーバ端末である場合、サーバ端末はユーザ端末に第２通知情報を出力する。第２通知情報を受信したユーザ端末は、第２通知情報を自端末のディスプレイ等において表示することによりユーザに提示する。一方、情報通知制御装置がユーザ端末である場合、ユーザ端末は自端末が選択した第２通知情報をディスプレイ等において表示する。
【００１０】  本願第２発明は、第１発明において、前記ユーザ状況に対応付けて前記第１通知情報の情報優先度を管理する情報優先度管理部をさらに含み、前記通知情報選択部は、前記ユーザ状況判定部により判定したユーザ状況に対応する情報優先度に応じて、前記通知情報管理部内の前記第１通知情報から第２通知情報を選択することを特徴とする情報通知制御装置を提供する。
【００１１】  前記情報通知制御装置は、ユーザ状況の時間的変化に応じて決定した第１通知情報の情報優先度に基づいて、第１通知情報の中から第２通知情報を選択する。このように、ユーザ状況に応じた情報優先度が管理されているため、刻々と変化するユーザ状況に応じて第１通知情報の中から情報優先度が高い情報を第２通知情報として選択することができる。よって、ユーザが欲する情報をユーザ端末又は自端末のディスプレイ等に出力することができる。
【００１２】  例えば、第１通知情報のカテゴリとして「安全情報」、「家族情報」、「仕事情報」及び「娯楽情報」があり、ユーザ状況として「安全優先」や「仕事優先」があるとする。ここで、状況依存情報管理部が、「安全優先」のユーザ状況に対しては、「仕事情報」及び「娯楽情報」の情報優先度が「小」、「安全情報」及び「家族情報」の情報優先度が「大」という対応付けを管理しているものとする。この場合、ユーザ状況が「安全優先」と判定された場合には、第１通知情報の中から情報優先度が高い「安全情報」及び「家族情報」のカテゴリに属する情報が選択され、第２通知情報としてユーザ端末又は自端末のディスプレイ等に出力される。
【００１３】  本願第３発明は、第１発明において、前記ユーザ状況に応じた前記第２通知情報の出力方法を管理する出力方法管理部をさらに含み、前記出力部は、前記ユーザ状況判定部により判定したユーザ状況に対応する出力方法に応じて、前記第２通知情報を出力することを特徴とする情報通知制御装置を提供する。
【００１４】  ユーザ状況に応じた出力方法で第２通知情報をユーザ端末又は自端末のディスプレイ等に出力することで、ユーザへの第２通知情報の提供を適切に行うことができる。例えば、ユーザ状況が「安全優先」であるとき、「安全情報」に関する情報を即時、ユーザが利用中のユーザ端末又は自端末のディスプレイ等に提供するという出力方法が管理されているとする。ここで、ユーザ状況が「安全優先」と判定されると、利用中のユーザ端末又は自端末のディスプレイ等に即時に「安全情報」に関する情報が選択されて出力されることでユーザ状況に応じた適切な情報の提供が行われる。
【００１５】  本願第４発明は、第１発明において、前記通知情報解析部は、情報の送信元に基づいて情報をカテゴリ分けするための送信元リストを保持し、前記通知情報受信部で受信した第１通知情報に含まれる送信元に関する情報に対して、前記送信元リストを適用することで、受信した第１通知情報の種類及び／または内容を解析することを特徴とする情報通知制御装置を提供する。
【００１６】  本構成によって、通知情報に対して複雑な意味解釈を行わずに、通知情報の種類及び／または内容を推測することが可能になる。
【００１７】  本願第５発明は、第１発明において、前記通知情報解析部は、特定の単語と情報カテゴリとの関連性を示す重み付き単語リストを保持し、前記通知情報受信部で受信した第１通知情報に含まれる単語に対して、前記重み付き単語リストを適用することで、第１通知情報の種類及び／または内容を解析することを特徴とする情報通知制御装置を提供する。
【００１８】  本構成によって、テキスト形式あるいはＨＴＭＬ形式のメールやインスタントメッセージを受信した際に、単語の出現頻度から、通知情報の種類及び／または内容を適切に推測することが可能になる。
【００１９】  本願第６発明は、第１発明において、前記通知情報解析部は、情報の意味的な関係を記述したオントロジーを保持し、前記通知情報受信部で受信した第１通知情報に含まれるメタデータに対して、前記オントロジーによる意味解釈を行うことで、第１通知情報の種類及び／または内容を解析することを特徴とする情報通知制御装置を提供する。
【００２０】  本構成によって、ＲＤＦ（Ｒｅｓｏｕｒｃｅ  Ｄｅｓｃｒｉｐｔｉｏｎ  Ｆｒａｍｅｗｏｒｋ）形式などのメタデータが、通知情報に添付されていた場合に、通知情報の種類及び／または内容をより詳細に判定することが可能になる。
【００２１】  本願第７発明は、第１発明において、前記通知情報解析部は、前記通知情報受信部で受信した第１通知情報に含まれる画像情報に対し画像認識を行うことで、情報の種類及び／または内容を解析することを特徴とする情報通知制御装置を提供する。
【００２２】  本構成によって、テキスト情報を含まない画像情報を通知情報として受け取った場合においても、通知情報の種類及び／または内容を推測することが可能になる。
【００２３】  本願第８発明は、第１発明において、ユーザ情報を取得するセンシング情報取得部を備え、前記ユーザ状況判定部は、前記通知情報管理部で保存されている第１通知情報の解析結果の時間的変化に加え、前記センシング情報取得部から取得したユーザ情報の時間的変化に基づいてユーザの状況を判定することを特徴とする情報通知制御装置を提供する。
【００２４】  前記ユーザ状況判定部が、前記通知情報管理部で保存されている通知情報の内容、種類および受信頻度に加え、前記センシング情報取得部から取得した現在のユーザの位置や周辺の情報をユーザの情報を利用して、ユーザの状況を判定する。よって、ユーザの現在位置や周辺情報を考慮してより詳細にユーザの状況を判断することができる。この結果、例えば、宅外にいるユーザにはホームセキュリティシステムからの情報通知の優先度を上げ、宅内にいるユーザにはホームセキュリティシステムからの情報通知の優先度を下げる、といった情報通知の制御が可能になる。
【００２５】  本願第９発明は、第１発明において、前記通知情報管理部で保存されている第１通知情報には、第１通知情報の種類、内容および受信頻度の少なくとも一つが含まれており、前記ユーザ状況判定部は、前記第１通知情報の種類、内容および受信頻度の少なくとも一つからユーザ状況を判定することを特徴とする情報通知制御装置を提供する。
【００２６】  本構成によって、家族からの通知情報が多い場合には、家族に関する情報配信を優先する状況に、取引先からの通知情報が多い場合には、家族に関する情報配信を控える状況にするなど、ユーザが受信する情報にあわせた情報の通知制御が実現される。
【００２７】  本願第１０発明は、第２発明において、前記出力部は、未送信の情報を集約して出力することを特徴とする。第１通知情報のうち未送信の情報を集約することで、未送信の情報の情報量を削減して送信することができる。
【００２８】  本願第１１発明は、第１０発明において、前記出力部は、前記情報優先度の低い情報を集約することを特徴とする情報通知制御装置を提供する。
【００２９】  本構成によって、現在のユーザにとって優先度の低い情報をユーザに通知する回数を削減し、また通知する情報の内容も簡潔にできるため、ユーザが優先度の低い情報を受信し、内容を確認するための時間を短縮することが出来る。この結果、ユーザが不要な情報に費やす時間を削減することができる。
【００３０】  本願第１２発明は、第２発明において、前記情報優先度に対応付けて前記第２通知情報の出力タイミングを管理する出力タイミング管理部をさらに含み、前記出力部は、前記第２通知情報の情報優先度に応じた出力タイミングで第２通知情報を出力することを特徴とする情報通知制御装置を提供する。
【００３１】  このように、出力部が前記優先度にあわせて情報を通知するタイミングを変更するため、優先度の低い情報の通知頻度を落とし、不要な情報の通知によってユーザが煩わされることを防止することができる。例えば、ユーザが映画鑑賞などを行っている時には優先度の低い情報は通知を行わず、ユーザが時間に余裕があるときには、優先度に関わらず即座に情報通知を行うなど、ユーザの状況に応じて適切な時間間隔で情報通知が行われ、ユーザが他の作業に没頭しているときに、頻繁な情報通知を行い、ユーザの気分を害するような事態を避けることができる。
【００３２】  本願第１３発明は、第２発明において、前記情報優先度に対応付けて前記第２通知情報を出力するユーザ端末を管理する出力端末管理部をさらに含み、前記出力部は、前記第２通知情報の情報優先度に応じたユーザ端末に第２通知情報を通知することを特徴とする情報通知制御装置を提供する。
【００３３】  前記通知方法制御部が、前記優先度にあわせて、情報を通知する端末を変更するため、優先度の高い情報は、ユーザが現在、使用している情報端末に送信し、優先度の低い情報は自宅の端末に蓄積しておくなどの処理が実現され、不必要な情報をユーザが利用中の端末に通知して現在のユーザの作業を妨げるような事態を避けることができる。
【００３４】  本願第１４発明は、される第１通知情報の中から第２通知情報を選択して出力する、コンピュータが実行する情報通知制御方法を提供する。情報通知制御方法は、次のステップを含む。前記第１通知情報を受信する通知情報受信ステップと、前記通知情報受信ステップで受信した第１通知情報の種類及び／または内容を解析する通知情報解析ステップと、前記通知情報解析ステップによる解析結果の時間的変化を管理するとともに、前記解析結果と対応付けて、前記通知情報受信ステップで受信した第１通知情報を保存する通知情報管理ステップと、前記通知情報管理ステップで保存されている第１通知情報の解析結果の時間的変化からユーザ状況を判定するユーザ状況判定ステップと、前記ユーザ状況に応じて前記通知情報管理部ステップで記憶されている前記第１通知情報から前記第２通知情報を選択する通知情報選択ステップと、前記第２通知情報を出力する出力ステップとを含むことを特徴とする情報通知制御方法を提供する。本願第１４発明は、第１発明と同様の作用効果を奏する。
【００３５】  本願第１５発明は、第１通知情報の中から第２通知情報を選択して出力する情報通知制御プログラムであって、前記第１通知情報を受信する通知情報受信手段、前記通知情報受信手段が受信した第１通知情報の種類及び／または内容を解析する通知情報解析手段、前記通知情報解析手段による解析結果の時間的変化を管理するとともに、前記解析結果と対応付けて、前記通知情報受信手段で受信した第１通知情報を保存する通知情報管理手段、前記通知情報管理手段で保存されている第１通知情報の解析結果の時間的変化からユーザ状況を判定するユーザ状況判定手段、前記ユーザ状況に応じて前記通知情報管理手段内の前記第１通知情報から前記第２通知情報を選択する通知情報選択手段、及び前記第２通信通知情報を出力する出力手段としてコンピュータを機能させることを特徴とする情報通知制御プログラムを提供する。
【００３６】  本願第１６発明は、第１通知情報の中から第２通知情報を選択して出力する情報通知制御装置が実行する情報通知制御プログラムを記録した、コンピュータ読み取り可能な記録媒体であって、前記第１通知情報を受信する通知情報受信ステップと、前記通知情報受信ステップで受信した第１通知情報の種類及び／または内容を解析する通知情報解析ステップと、前記通知情報解析ステップによる解析結果の時間的変化を管理するとともに、前記解析結果と対応付けて、前記通知情報受信ステップで受信した第１通知情報を保存する通知情報管理ステップと、前記通知情報管理ステップで保存されている第１通知情報の解析結果の時間的変化からユーザ状況を判定するユーザ状況判定ステップと、前記ユーザ状況に応じて前記通知情報管理部ステップで記憶されている前記第１通知情報から前記第２通知情報を選択する通知情報選択ステップと、前記第２通知情報を出力する出力ステップと、を実行する情報通知制御プログラムを記録した、コンピュータ読み取り可能な記録媒体を提供する。
【００３７】  前述した方法をコンピュータに実行させるコンピュータプログラム及びそのプログラムを記録したコンピュータ読み取り可能な記録媒体は、本発明の範囲に含まれる。ここで、コンピュータ読み取り可能な記録媒体としては、例えば、フレキシブルディスク、ハードディスク、ＣＤ−ＲＯＭ、ＭＯ、ＤＶＤ、ＤＶＤ−ＲＯＭ、ＤＶＤ−ＲＡＭ、ＢＤ（Ｂｌｕｅ−ｒａｙ  Ｄｉｓｃ）、半導体メモリを挙げることができる。
【００３８】  前記コンピュータプログラムは、前記記録媒体に記録されたものに限られず、電気通信回線、無線又は有線通信回線、インターネットを代表とするネットワーク等を経由して伝送されるものであってもよい。
【００３９】  本発明は、前記従来の課題を解決するもので、ユーザに適した情報を提供可能な情報通知制御装置、報通知制御方法を提供することを目的とする。
【図面の簡単な説明】
【００４０】
【図１】本発明の実施の形態１における情報通知制御装置の構成図。
【図２】本発明における情報通知制御装置の動作の流れを示すフローチャートの一例。
【図３Ａ】家族からの情報３０１の一例。
【図３Ｂ】仕事の情報３０２の一例。
【図３Ｃ】娯楽に関する情報３０３の一例。
【図３Ｄ】セキュリティシステムからの情報３０４の一例。
【図４Ａ】送信元リストの一例。
【図４Ｂ】重み付け単語リスト４０２の一例。
【図４Ｃ】オントロジー４０３の一例。
【図５】第１通知情報及び通知情報解析部１０２による解析結果を保存する形式の例。
【図６】統計情報テーブルの一例。
【図７】本実施形態例における情報通知制御装置１００に定義されているユーザ状況およびそれらの状態遷移図。
【図８】ユーザ状況の判定ルール。
【図９Ａ】ユーザ状況が「安全優先」の時の情報優先度リスト９０１の一例。
【図９Ｂ】ユーザ状況が「仕事優先」の時の情報優先度リスト９０２の一例。
【図９Ｃ】ユーザ状況が「娯楽優先」の時の情報優先度リスト９０３の一例。
【図９Ｄ】ユーザ状況が「平常時」の時の情報優先度リストの一例。
【図１０】状況依存情報管理部１０６が管理する情報通知リストの例。
【図１１】複数の第２通知情報から要約情報を生成する処理の一例。
【図１２】ユーザ端末及びサーバ端末を含むネットワーク構成図。
【図１３】情報通知制御装置１００の各機能部がサーバ端末及びユーザ端末に分散されている様子を示す説明図。
【発明を実施するための最良の形態】
【００４１】  以下本発明の実施の形態について、図面を参照しながら説明する。【００４２】  ＜第１実施形態例＞
（１）構成
図１は、本発明の実施の形態１における情報通知制御装置の構成図である。情報通知制御装置１００は、通知情報受信部１０１、通知情報解析部１０２、通知情報管理部１０３、センシング情報取得部１０４、ユーザ状況判定部１０５、状況依存情報管理部１０６、通知情報選択部１０７及び通知方法制御部１０８を含む。情報通知制御装置１００は、携帯電話やパーソナルコンピューターなどユーザが保持するユーザ端末上やＨＭＤ（Ｈｅａｄ  Ｍｏｕｎｔｅｄ  Ｄｉｓｐｌａｙ）などのウェアラブルな機器上に構成されてもよいし、ネットワーク上のサーバ端末に構築されていてもよい。また、情報通知制御装置１００は単一の端末あるいはサーバ上に構成されるのではなく、複数の端末やサーバを利用して構成されてもよい。なお、情報通知制御装置１００がサーバ端末である場合、サーバ端末は、サーバ端末が選択した第２通知情報をユーザ端末に出力する。第２通知情報を受信したユーザ端末は、第２通知情報を自端末のディスプレイ等において表示することによりユーザに提示する。一方、情報通知制御装置１００がユーザ端末である場合、ユーザ端末は自端末が選択した第２通知情報をディスプレイ等において表示する。【００４３】  （通知情報受信部）
通知情報受信部１０１は、ユーザ端末に提供される第１通知情報を受信する。受信する第１通知情報は、どのような形式の情報であってもよく、例えば、テキストやＨＴＭＬ形式の情報であってもよいし、音声や映像などマルチメディア形式の情報であってもよい。第１通知情報を受信するための手段は特定の手段に限定するものではないが、ＰＯＰ３・ＩＭＡＰなどの電子メールプロトコルを用いてもよいし、インスタントメッセージを利用もよい。また、ＨＴＴＰ、ＨＴＴＰＳなどを用いてネットワーク上のサーバからユーザ宛の第１通知情報を取得する方法でもよい。【００４４】  （通知情報解析部）
通知情報解析部１０２は、受信した第１通知情報を解析する。受信した第１通知情報の解析対象は、受信した第１通知情報および／または関連情報の、一部または全部であり、例えば、受信した第１通知情報が属する情報カテゴリや、情報の重要性や緊急性、または第１通知情報において使用される用語（関連用語を含む）の頻度などが挙げられる。また、人間の感性や感情などを考慮して、より高度な意味内容を判定してもよい。受信した第１通知情報を解析する方法としては、第１通知情報の送信元から情報カテゴリを推測してもよいし、受信した第１通知情報がテキスト形式であった場合には内部に含まれる単語の出現頻度などから内容を推測してもよい。また第１通知情報にＲＤＦ（Ｒｅｓｏｕｒｃｅ  Ｄｅｓｃｒｉｐｔｉｏｎ  Ｆｒａｍｅｗｏｒｋ）形式などで記述されたメタデータが添付されている場合には、そのメタデータを利用することで第１通知情報の内容を判定してもよい。受信した第１通知情報が、音声や画像形式であった場合には、音声認識、画像認識の技術を適応することで、第１通知情報の内容を判定してもよい。【００４５】  （通知情報管理部）
通知情報管理部１０３は、通知情報受信部１０１で受信した第１通知情報と、通知情報解析部１０２での解析結果を合わせて保存する。解析結果には、第１通知情報の時間的変化の解析結果が含まれる。保存する方法は特定の手段に限定するものではないが、第１通知情報とその内容の解析結果を単一のデータベースに格納してもよいし、それぞれ別のデータベースに格納しても良い。また、第１通知情報ごとにディレクトリを設けて、第１通知情報の内容の判定結果を格納する方法でもよい。また、通知情報管理部１０３は、第１通知情報の内容の解析結果を利用して、情報カテゴリごとの受信頻度など、受信した第１通知情報の統計的な情報も管理する。【００４６】  （センシング情報取得部）
センシング情報取得部１０４は、ユーザの現在位置や周辺の店舗に関する情報など、ユーザに関する情報を取得する。ユーザ情報を取得するための手段としては、携帯電話などユーザが保持しいている端末に搭載されているＧＰＳ（Ｇｌｏｂａｌ  Ｐｏｓｉｔｉｏｎｉｎｇ  Ｓｙｓｔｅｍ）によって位置情報を取得してもよいし、同じくユーザが保持している携帯端末に搭載されているＲＦＩＤ（Ｒａｄｉｏ  Ｆｒｅｑｕｅｎｃｙ  ＩＤｅｎｔｉｆｉｃａｔｉｏｎ）リーダー機能、無線ＬＡＮ機能を利用して周辺の商品や店舗、建物などの情報を取得しても良い。あるいはユーザの現在の情報を管理するサーバであるプレゼンスサーバから、ユーザ情報を取得しても良い。【００４７】  （ユーザ状況判定部）
ユーザ状況判定部１０５は、現在のユーザ状況を、情報通知制御装置１００内に定義されているユーザ状況のいずれに該当するのかを判定するための情報判定ルールを保持する。ここでユーザ状況とは情報通知制御装置１００においてユーザの状況を示すものであり、図７に示すように、平常時、仕事優先、娯楽優先及び安全優先など情報通知制御装置１００内に複数定義されている。通知情報管理部１０３が保持する情報と、センシング情報取得部１０４が取得した情報を、保持している情報判定ルールに適応し、その結果から現在のユーザ状況を決定する。【００４８】  （状況依存情報管理部）
状況依存情報管理部１０６は、情報通知制御装置１００内に定義されている個々のユーザ状況に固有な情報を管理する。管理される情報として、自端末のディスプレイ等に出力する情報又はユーザ端末に通知する情報を選択する際に用いられる情報優先度や、自端末のディスプレイ等に出力する方法又はユーザ端末に情報を通知する方法を記述した通知方法リストを管理する。なお、特許請求の範囲の出力方法管理部及び情報優先度管理部は、状況依存情報管理部１０６に相当する。【００４９】  （通知情報選択部）
通知情報選択部１０７は、ユーザ状況判定部１０５が判定した現在のユーザ状況に対応する情報優先度を状況依存情報管理部１０７から取得する。取得した情報優先度にしたがって、通知情報管理部１０３が保持している第１通知情報の中から、ユーザ端末又は自端末のディスプレイ等に通知すべきものを選択する。【００５０】  （通知方法制御部）
通知方法制御部１０８は、ユーザ状況判定部１０５が判定した現在のユーザ状況に対応する通知方法を状況依存情報管理部１０７内の通知方法リストから取得する。取得した通知方法リストにしたがって、通知情報選択部１０７が第１通知情報から選択した第２通知情報を通知する方法を決定し、ユーザ端末又は自端末のディスプレイ等に対する情報の通知を実行する。なお、通知方法制御部１０８は、通知方法リストを状況依存情報管理部１０７から取得しても良い。【００５１】  かかる構成によれば、ユーザに提供される第１通知情報およびユーザ周辺の状況から、現在のユーザの状況を判定し、その状況に応じた第２通知情報を選択し、状況に応じた通知手段でユーザ端末又は自端末のディスプレイ等に向けて通知する情報通知制御装置が実現できる。【００５２】  （２）動作方法
次に、本発明における情報通知制御装置の動作を示す。本実施の形態における情報通知制御装置は図２に示すステップＳ２０１〜Ｓ２０７のステップに従うことで、ユーザ端末又は自端末のディスプレイ等に対する情報通知を実現する。【００５３】  （ステップＳ２０１）
通知情報受信部１０１が、ユーザ宛に送信された第１通知情報を受信する。第１通知情報の例を図３Ａ〜図３Ｄに示す。図３Ａは、家族から送信されたメールなどを含む家族からの情報３０１を示す。図３Ｂは、仕事の関係者から送られた仕事に関係するメールなどを含む仕事の情報３０２を示す。図３Ｃは、メールマガジンなどの娯楽情報を伝達するメールなどを含む娯楽に関する情報３０３を示す図３Ｄは、ホームセキュリティシステムが撮影した玄関の画像を含むメールなどを含むセキュリティシステムからの情報３０４を示す。なお、本実施例では第１通知情報を全てメールとして扱っているが、前述したように情報の受信形式及び受信方法はメールに限定されるものではなく、インスタントメッセージなどを用いても良い。【００５４】  通知情報受信部１０１は、受信した第１通知情報を通知情報解析部１０２へと送信する。【００５５】  （ステップＳ２０２）
通知情報解析部１０２は、通知情報受信部１０１から渡された第１通知情報に対して、情報の種類及び／または内容を解析する。第１通知情報を解析する方法の例としては以下の方法が挙げられる。【００５６】  （Ａ．送信元リストを利用する方法）
図４Ａは、第１通知情報が含む送信元の情報と特定の情報カテゴリとの対応を示す送信元リストである。この図４Ａの送信元リストを用いることにより、第１通知情報を特定の情報カテゴリに分類することができる。例えば、家族からの情報３０１（メールアドレス：ｊｉｔａｋｕ＠ｊｉｔａｋｕ．ｃｏｍ）は家族情報、仕事の情報３０２（メールアドレス：ｘｘｘ＠ｘｘｘｘｘ．ｃｏｍ）は仕事情報、娯楽に関する情報３０３（メールアドレス：ｇｏｒａｋｕ＠ｇｏｒａｋｕ．ｃｏ．ｊｐ）は娯楽情報、セキュリティシステムからの情報３０４（メールアドレス：ａｌｅｒｔ＠ｓｅｃｕｒｉｔｙ．ｃｏｍ）は家族情報および安全情報の情報カテゴリの情報として分類される。【００５７】  （Ｂ．重み付け単語リストを利用する方法）
図４Ｂは、第１通知情報に含まれる単語から、第１通知情報の情報カテゴリを判定する際に用いられる重み付け単語リスト４０２である。この単語リストを用いて、第１通知情報に含まれる単語から、各情報カテゴリ毎のスコア付けを行う。例えば、家族からの情報３０１の第１通知情報の場合、第１通知情報内には「父」「太郎」「学校」がそれぞれ一回出現する。よって、単語リスト４０２に基づいて、家族からの情報３０１は家族情報のカテゴリに対して６の重みを持つ。しかし、「研究センター」「特許」といった仕事関係の単語を含まないため仕事情報カテゴリに対しては、０の重みしか持たない。このような重み付けを第１通知情報に行ったあと、特定の情報カテゴリに対する重みが一定の閾値を超えた場合に、第１通知情報は、その情報カテゴリに属する情報と判断する。【００５８】  （Ｃ．メタデータを利用する方法）
図４Ｃは、単語同士の意味的な関連を記述したオントロジー４０３であり、ＯＷＬ（Ｗｅｂ  Ｏｎｔｏｌｏｇｙ  Ｌａｎｇｕａｇｅ）などで記述されたデータである。オントロジー４０３の例では、「映画情報」は「娯楽情報」に含まれる情報であり、「ｍｏｖｉｅ」や「ａｃｔｏｒ」といった言葉は映画情報として扱われることを示している。このオントロジーと、第１通知情報自身が含むメタデータを利用することで第１通知情報の内容を判定することができる。例えば、図３に示す娯楽に関する情報３０３は、メールの意味内容をＸＭＬ形式で記述したメタデータを含む第１通知情報である。通知情報解析部１０２は、このメタデータをオントロジー４０３を用いて解釈することで、娯楽に関する情報３０３は娯楽情報に属する第１通知情報であることを判定する。【００５９】  通知情報解析部１０２は、上記のＡ，Ｂ，Ｃ方法のいずれか、もしくはすべてを用いて第１通知情報の種類及び／または内容の解析を行い、その解析結果を通知情報管理部１０３に通知する。【００６０】  なお、この例では、第１通知情報の解析結果として、情報カテゴリだけを扱っているが、前述したようにより高度な意味内容を判定しても良い。【００６１】  （ステップ２０３）
通知情報管理部１０３は、通知情報解析部１０２から、第１通知情報及び解析結果を受信して、それらを関連付けて保存する。【００６２】  図５は、第１通知情報及び通知情報解析部１０２による解析結果を保存する形式の例を示す。この例では情報はデータベースのテーブル形式として保存されている。図５では、第１通知情報自体は情報通知制御装置１００内の特定のディレクトリに保存され、解析結果を保存するテーブルにはそのパス名が書かれているが、第１通知情報自体を直接、データベースのテーブルに保存されてもよい。また、必ずしもテーブル形式で保存する必要は無く、ＸＭＬ、ＣＳＶファイルなどで保存しても構わない。【００６３】  また、通知情報管理部１０３は、第１通知情報の解析結果や受信日時などから図６に示すように、情報受信頻度の時間的変化などの統計的な情報を生成し管理する。図６の統計情報テーブルには、情報カテゴリ毎に、第１通知情報の受信数、受信頻度及び未通知数などが１レコードに記述されている。図６は、２００４／０８／３１の１２：１５：４０時点から２００４／０８／３１の１４：１５：４０時点への統計情報の時間推移を示す。なお、統計情報テーブル６０１及び６０２の形式はあくまで一例であり、統計情報は情報カテゴリごとの受信頻度に限定されるものではなく、またその頻度を算出するための受信間隔も図６に示した間隔に限定されるものではない。【００６４】  なお、図６に示すような情報は、常時保管するのではなく、必要に応じて逐次、図５に保存されている情報カテゴリ、受信日時などから計算する方法でも良い。【００６５】  （ステップＳ２０４）
センシング情報取得部１０４は、位置情報や、近傍の人や店舗に関する情報など、ユーザに関する情報を取得する。【００６６】  （ステップＳ２０５）
図７は、本実施形態例における情報通知制御装置１００に定義されているユーザ状況およびそれらの状態遷移図を示す。図７に示すように、ユーザ状況としては平常時、娯楽優先、仕事優先及び安全優先などが挙げられ、矢印で示されるような多様に状況が変化する。【００６７】  ユーザ状況判定部１０５は、通知情報管理部１０３が保持する情報と、センシング情報取得部１０４が取得した情報から、現在のユーザ状況が図７のいずれに該当するのかを判定する。【００６８】  ユーザ状況判定部１０５は、現在のユーザ状況を判定するために、図８に示すようなユーザ状況の判定ルールを用いて、以下のようにユーザ状況の判定を行う。図８のユーザ状況の判定ルールには、ユーザ状況の状況遷移パターン毎に、どのような遷移条件であれば各状況遷移パターンに当てはまるのかが記述されている。【００６９】  ここで、現在のユーザ状況を「仕事優先」であるとし、通知情報管理部１０３が保持する第１通知情報の統計情報が統計情報６０１であり、センシング情報受信部１０４が取得するユーザの位置情報を「宅外」であるものとする。このとき、ユーザ状況の判定に利用されるルールとしては、現在のユーザ状況である「仕事優先」に基づいて、ルールＩＤが「２」の判定ルールが選択される。ルールＩＤが「２」は、「仕事優先」から「安全優先」への状況遷移パターンであり、「安全優先」に遷移すべきかどうかを判定するための遷移条件が記述されている。実際にこの遷移を実行するかどうかは、通知情報管理部１０３およびセンシング情報取得部１０４の情報に基づいて遷移条件の記述が満たされるかどうかを判断することによって決定する。【００７０】  この例では、前述したようにセンシング情報取得部１０４から取得されるユーザの現在位置は「宅外」であるため、遷移条件のセンシング情報部分の条件は満たされる。また、図６に示す統計情報６０１から最近３０分間に、「安全情報」および「家族情報」のカテゴリに属する情報の受信がともに１５通を越えていることが分かる。よって、図８の第１通知情報のカテゴリおよび情報受信頻度に関する遷移条件も満たされていると判断される。このとき、ユーザ状況判定部１０５は、現在のユーザ状況は「仕事優先」から「安全優先」に遷移したと判断し、その情報を通知情報選択部１０７および通知方法制御部１０８に対して通知する。【００７１】  またその後、図６に示すように、通知情報管理部１０３が保持する第１通知情報の統計情報６０１が統計情報６０２に変化した場合、ユーザ状況判定部１０５は、現在のユーザ状況である「安全優先」から図８のルールＩＤが「４」である判定ルールを選択する。そして、変化後の統計情報６０２およびセンシング情報取得部１０４が保持する情報が、遷移条件を満たすかどうかの判定を行う。ルールＩＤが「４」の遷移条件においてはセンシング情報は任意である。よって、センシング情報取得部１０４が保持する情報に関わらず、センシング情報に関する遷移条件は成立する。統計情報６０２では、最近１時間以内に家族情報あるいは安全情報に属する情報が配信されていないことが記されているため、通知情報カテゴリおよび情報受信頻度に関する遷移条件も満たされている。そのため、ユー��状況判定部１０５は、現在のユーザ状況が「安全優先」から「平常時」へと変更されたとの判定を行い、その情報をその情報を、通知情報選択部１０７および通知方法制御部１０８に対して通知する。【００７２】  このように、ユーザ状況判定部１０５は、ユーザ端末に提供されている情報の種類及び／または内容およびそれらの受信頻度からユーザの現在の状況を判定する。これにより家族からのメールなどの家族からの情報３０１や、ホームセキュリティシステムからの情報３０２などの通知が増えた場合は、ユーザ状況を「安全優先」に変更する。一方、家族からの情報３０１やホームセキュリティシステムからの情報３０２などのメールが通知されなくなった場合は、ユーザ状況を「平常時」に変更するといったユーザ端末が受信する第１通知情報に基づいたユーザ状況の判定処理が可能になる。【００７３】  なお、ユーザ状況の判定を行うタイミングは、第１通知情報を受信するごとに行ってもよいし、一定の時間間隔ごとに行っても良い。また図８に示した判定ルールの形式は一例であり、ニューラルネットワークなどのソフトコンピューティング技術を用いたより複雑な判定ルールを用いてもよいし、他の形式を用いても良い。【００７４】  （ステップＳ２０６）
通知情報選択部１０７は、前記ステップＳ２０５でユーザ状況判定部１０５が判定したユーザ状況に基づいて、ユーザ端末又は自端末のディスプレイ等に出力する第２通知情報を、通知情報管理部１０３が保存している第１通知情報の中から選択する。通知情報を選択する際の基準値として、通知情報選択部１０７は、ユーザ状況判定部１０５からユーザ状況の変更通知を受けると、変更先のユーザ状況に対応する情報優先度リストを状況依存情報管理部１０６から取得する。【００７５】  図９Ａから図９Ｄは、状況依存情報管理部１０６が保持するユーザ状況の各々に対応した情報優先度リストの例を示す。図９Ａはユーザ状況が「安全優先」の時の情報優先度リスト９０１であり、図９Ｂはユーザ状況が「仕事優先」の時の情報優先度リスト９０２であり、図９Ｃはユーザ状況が「娯楽優先」の時の情報優先度リスト９０３であり、図９Ｄはユーザ状況が「平常時」の時の情報優先度リストである。情報優先度は、通知情報管理部１０３が保存している第１通知情報の中から、どの情報を優先してユーザに通知すべきかを判断する基準値であり、優先度が高い情報ほど、受信してから即座にユーザに通知されやすくなる。図９に示す情報優先度リストは、情報カテゴリ毎に情報優先度を設定し保持している。【００７６】  ここで、通知情報選択部１０７が通知情報管理部１０３に保存されている情報の中から、ユーザに通知すべき第２通知情報を選択する例を示す。この例では現在のユーザ状況が「安全優先」であるとし、通知情報管理部１０３では図５に示す第１通知情報が管理されているものとする。このとき、通知情報選択部１０７は、状況依存管理部１０６からユーザ状況が「安全優先」の時の状況優先度リスト９０１を取得する。この状況優先度リスト９０１中では、「安全情報」および「家族情報」の優先度が最大である。よって、通知情報選択部１０７は、図５で管理されている情報の中から「安全情報」、「家族情報」である受信ＩＤ「１」、受信ＩＤ「４」の第１通知情報を第２通知情報として選択する。そして、通知情報選択部１０７は、状況優先度リスト９０１に基づく優先度及び選択した第２通知情報を通知方法制御部１０８へと送信する。その後、通知情報管理部１０３中に、安全情報もしくは家族情報に分類される第１通知情報が存在しなくなった場合には、状況優先度リスト９０１において「安全情報」および「家族情報」についで優先度が高い「仕事情報」に関する第１通知情報を第２通知情報として選択する。この例では、図５における受信ＩＤ「２」の第２通知情報および優先度が通知方法制御部１０８へと通知される。【００７７】  なお、通知情報選択部１０７において、第１通知情報からの第２通知情報を選択するタイミングは、通知情報受信部１０１が第１通知情報を受信した瞬間に行ってもよいし、一定の時間間隔で行っても良い。あるいは通知方法制御部の要求を受けたタイミングで、第２通知情報の選択を行っても良い。【００７８】  （ステップＳ２０７）
通知方法制御部１０８は、前記ステップ２０６で通知情報選択部１０７が選択した第２通知情報をユーザ端末又は自端末のディスプレイ等に通知する際の方法を、前記ステップ２０５でユーザ状況判定部１０５が判定したユーザ状況に基づいて決定する。【００７９】  ユーザ状況に応じた第２通知情報の通知方法を決定するために、通知情報制御部１０８は、ユーザ状況判定部１０５からユーザ状況の変更通知を受けると、変更先のユーザ状況に対応する情報通知方法を状況依存情報管理部１０６内の情報通知方法リストから取得する。【００８０】  図１０は、状況依存情報管理部１０６が管理する情報通知リストの例を示す。情報通知方法リストは、ユーザ端末又は自端末のディスプレイ等に情報を通知する際の方法を保持するリストであり、本実施の形態では、情報優先度ごとに、第２通知情報を通知する通知間隔、第２通知情報を通知する通知対象端末、通知情報に対する加工手段が記されている。なおここでの情報優先度は前述の情報優先度リストで与えられる値である。【００８１】  ここで、通知方法制御部１０８が、通知情報選択部１０７で選択された情報を、ユーザ端末又は自端末のディスプレイ等に通知する例を示す。この例では現在のユーザ状況を「安全優先」とし、図９に示す情報優先度リスト９０１、および図１０に示す情報通知方法リストを用いるものとする。図９の情報優先度リスト９０１から、「安全情報」及び「家族情報」の情報優先度が「１０」が分かる。ここで、通知情報選択部１０７が図５の受信ＩＤ「２」および受信ＩＤ「４」の「家族情報」および「安全情報」に属する第２通知情報を、それぞれ優先度「１０」で通知方法制御部１０８へ送信した場合、通知方法制御部１０８は受信した第２通知情報の優先度に対応する情報通知方法を情報通知方法リストから選択する。図１０の情報通知方法リストで、優先度「１０」の第２通知情報に対応する情報通知方法は通知方法ＩＤ「１」であるので、通知方法制御部１０８は通知方法ＩＤ「１」の記述に従って、第２通知情報をユーザ端末又は自端末のディスプレイ等に通知する。この場合、第２通知情報は即座に、ユーザが現在利用中の端末（携帯電話やノートＰＣなど）に送信される。【００８２】  また、通知情報選択部１０７が、図５の受信ＩＤ「２」の「仕事情報」に属する第２通知情報を、優先度「５」で通知方法制御部１０８へ送信した場合、通知方法制御部１０８は、優先度「５」に対応する情報通知方法を情報通知方法リストから選択する。優先度「５」の情報に対応する情報通知方法は通知方法ＩＤ「３」であるので、通知方法制御部１０８は通知方法ＩＤ「３」の記述に従って、第２通知情報をユーザ端末又は自端末のディスプレイ等に通知する。この場合、以前に優先度「３」〜「５」に属する情報が送信された時間から３０分立ってから受信ＩＤ「２」の第２通知情報が送信される。また、受信ＩＤ「２」の情報が送信を待っている間に、優先度が「３」〜「５」の第２通知情報が、通知情報選択部１０７から別途に渡された場合には、通知方法ＩＤ「３」の記述に従い、未送信情報の要約が生成される。これは図１１に示すように、複数の第２通知情報から要約情報を生成する処理である。図１１において、���送信情報１１０１、１１０２は通知間隔の制限などの理由で通知方法制御部１０８によってユーザ端末又は自端末のディスプレイ等に送信されずに保持されている未送信情報である。未送信情報１１０３はそれらの未送信情報１１０１及び１１０２から生成された要約情報を示す。要約の生成方法は、特定の方法に制限するものではないが図１１のように通知情報の送信者やＳｕｂｊｅｃｔなどのリストから要約を生成する方法が考えられる。生成された要約は第２通知情報として、前回の優先度「３」〜「５」の情報が送信されてから３０分後に送信される。この例で示すように優先度の低い第２通知情報を集約することで、ユーザ端末又は自端末のディスプレイ等に対する情報通知の量や頻度を削減することが可能になる。【００８３】  また、優先度「０」の情報が通知情報選択部１０７から送信された場合、通知方法制御部１０８は通知方法ＩＤ「５」の記述に従い、ユーザ状況が「安全優先」である限りユーザ端末又は自端末のディスプレイ等には送信しない。【００８４】  なお、ステップ２０４を実行する順番は、ステップ２０１〜２０３と入れ替わってもよいし、あるいは２０１〜２０３と並行して実行されていても良い。【００８５】  （作用効果）
上記情報通知制御装置１００は、ユーザ状況の時間的変化に応じて決定した第１通知情報の情報優先度に基づいて、配信される第１通知情報の中から第２通知情報を選択する。そして、選択された第２通知情報をユーザ端末又は自端末のディスプレイ等に出力するため、刻々と変化するユーザ状況に応じた情報をユーザに提供することができる。そのため、例えば以前はユーザが関心を有していなかった情報であっても、ユーザに提供される第１通知情報を例えば情報の種類、内容や頻度の面から解析して時間的変化を管理することで、ユーザが関心を示し始めたというユーザ状況の変化を検出することができる。そして、変化したユーザ状況に応じた情報を選択してユーザに提供することで、ユーザに適合する情報を提供することができる。この結果、地域の災害情報を待っているユーザに娯楽情報が通知され、ユーザの気分を害するような事態を防止することができる。また、通知方法制御部１０８は、ユーザ状況に応じた出力方法で第２通知情報をユーザ端末又は自端末のディスプレイ等に出力するため、ユーザへの第２通知情報の提供を適切に行うことができる。【００８６】  ＜その他の実施形態例＞
（１）
上記実施形態例において、情報通知制御装置１００はユーザ端末に第２通知情報を出力するサーバ端末であり得るし、あるいはユーザ端末であり得る。また、情報通知制御装置１００内の機能部の一部はサーバ端末に含まれ、残りの一部はユーザ端末に含まれ得る。【００８７】  図１２は、ユーザ端末及びサーバ端末を含むネットワーク構成図である。サーバ端末１５０及びユーザ端末（１６０ａ、１６０ｂ、１６０ｃ・・・）１６０がネットワーク１７０を介して接続されている。情報通知制御装置１００がサーバ端末１５０である場合は、サーバ端末１５０は、通知情報受信部１０１、通知情報解析部１０２、通知情報管理部１０３、センシング情報取得部１０４、ユーザ状況判定部１０５、状況依存情報管理部１０６、通知情報選択部１０７及び通知方法制御部１０８を含む。サーバ端末１５０の通知情報受信部１０１、通知情報解析部１０２及び通知情報管理部１０３は、受信した第１通知情報の解析を行って管理する。サーバ端末１５０のセンシング情報取得部１０４及びユーザ状況判定部１０５は、ユーザの状況を取得して判定する。また、サーバ端末１５０の状況依存情報管理部１０６は情報優先度及び通知方法などを記述した通知方法リストを管理している。サーバ端末１５０の通知情報選択部１０７はユーザ状況に対応する情報優先度に応じて、通知情報管理部１０３が管理する第１通知情報から第２通知情報を選択する。そして、サーバ端末１５０の通知方法制御部１０８は、現在のユーザ状況に対応した通知方法に応じて、各ユーザ端末１６０に第２通知情報を出力する。よって、ユーザ端末１６０はサーバ端末１５０から取得した第２通知情報を、自端末のディスプレイ等に表示してユーザに提示する。この場合、ユーザ端末１６０は、サーバ端末１５０が選択した第２通知情報のみを受信して表示するため、配信される第１通知情報を全て受信しない。このとき、ユーザ端末１６０は、第１通知情報から第２通知情報を選択する手間が不要である。【００８８】  また、情報通知制御装置１００がユーザ端末１６０である場合は、ユーザ端末１６０は、通知情報受信部１０１、通知情報解析部１０２、通知情報管理部１０３、センシング情報取得部１０４、ユーザ状況判定部１０５、状況依存情報管理部１０６、通知情報選択部１０７及び通知方法制御部１０８を含む。ユーザ端末１６０の通知情報受信部１０１、通知情報解析部１０２及び通知情報管理部１０３は、受信した第１通知情報の解析を行って管理する。ユーザ端末１６０のセンシング情報取得部１０４及びユーザ状況判定部１０５は、ユーザの状況を取得して判定する。また、ユーザ端末１６０の状況依存情報管理部１０６は情報優先度及び通知方法などを記述した通知方法リストを管理している。ユーザ端末１６０の通知情報選択部１０７はユーザ状況に対応する情報優先度に応じて、通知情報管理部１０３が管理する第１通知情報から情報を選択する。そして、ユーザ端末１６０の通知方法制御部１０８は、現在のユーザ状況に対応した通知方法に応じて第２通知情報を出力する。このとき、ユーザ端末１６０自身が第１通知情報から第２通知情報を選択しており、自装置のディスプレイ等に第２通知情報を出力して表示する。【００��９】  図１３は、情報通知制御装置１００の各機能部がサーバ端末及びユーザ端末に分散されている様子を示す説明図である。サーバ端末１５０は、通知情報受信部１０１、通知情報解析部１０２、通知情報管理部１０３を含み、ユーザ端末１６０は、センシング情報取得部１０４、ユーザ状況判定部１０５、状況依存情報管理部１０６、通知情報選択部１０７及び通知方法制御部１０８を含む。サーバ端末１５０の通知情報受信部１０１、通知情報解析部１０２及び通知情報管理部１０３は、受信した第１通知情報の解析を行って管理する。ユーザ端末１６０のセンシング情報取得部１０４及びユーザ状況判定部１０５は、ユーザの状況を取得して判定する。また、ユーザ端末１６０の状況依存情報管理部１０６は情報優先度及び通知方法などを記述した通知方法リストを管理している。ユーザ端末１６０の通知情報選択部１０７はユーザ状況に対応する情報優先度に応じて、サーバ端末１５０の通知情報管理部１０３が管理する第１通知情報から情報を選択する。そして、ユーザ端末１６０の通知方法制御部１０８は、現在のユーザ状況に対応した通知方法に応じて第２通知情報を出力する。このとき、ユーザ端末１６０自身が第１通知情報から第２通知情報を選択しており、自装置のディスプレイ等に第２通知情報を出力して表示する。【００９０】  （２）
前述した方法をコンピュータに実行させるコンピュータプログラム及びそのプログラムを記録したコンピュータ読み取り可能な記録媒体は、本発明の範囲に含まれる。ここで、コンピュータ読み取り可能な記録媒体としては、例えば、フレキシブルディスク、ハードディスク、ＣＤ−ＲＯＭ、ＭＯ、ＤＶＤ、ＤＶＤ−ＲＯＭ、ＤＶＤ−ＲＡＭ、ＢＤ（Ｂｌｕｅ−ｒａｙ  Ｄｉｓｃ）、半導体メモリを挙げることができる。【００９１】  前記コンピュータプログラムは、前記記録媒体に記録されたものに限られず、電気通信回線、無線又は有線通信回線、インターネットを代表とするネットワーク等を経由して伝送されるものであってもよい。【００９２】  （３）
各実施の形態で説明した情報通知制御装置の機能を集積回路であるＬＳＩとして実現しても良い。ここでは、ＬＳＩとしたが、集積度の違いにより、ＩＣ、システムＬＳＩ、スーパーＬＳＩ、ウルトラＬＳＩと呼称されることもある。【００９３】  また、集積回路化の手法はＬＳＩに限るものではなく、専用回路又は汎用プロセサで実現してもよい。ＬＳＩ製造後に、プログラムすることが可能なＦＰＧＡ（Ｆｉｅｌｄ  Ｐｒｏｇｒａｍｍａｂｌｅ  Ｇａｔｅ  Ａｒｒａｙ）や、ＬＳＩ内部の回路セルの接続や設定を再構成可能なリコンフィギュラブル・プロセッサーを利用しても良い。
【産業上の利用可能性】
【００９４】  本発明にかかる情報通知制御装置は、ユーザの受信した情報からユーザの状況を判断する機能を有し、ユーザに対する情報通知を制御するシステムとして等として有用である。
【図１】
2006075512.tif 000002
【図２】
2006075512.tif 000003
【図３Ａ】
2006075512.tif 000004
【図３Ｂ】
2006075512.tif 000005
【図３Ｃ】
2006075512.tif 000006
【図３Ｄ】
2006075512.tif 000007
【図４Ａ】
2006075512.tif 000008
【図４Ｂ】
2006075512.tif 000009
【図４Ｃ】
2006075512.tif 000010
【図５】
2006075512.tif 000011
【図６】
2006075512.tif 000012
【図７】
2006075512.tif 000013
【図８】
2006075512.tif 000014
【図９Ａ】
2006075512.tif 000015
【図９Ｂ】
2006075512.tif 000016
【図９Ｃ】
2006075512.tif 000017
【図９Ｄ】
2006075512.tif 000018
【図１０】
2006075512.tif 000019
【図１１】
2006075512.tif 000020
【図１２】
2006075512.tif 000021
【図１３】
2006075512.tif 000022
【手続補正書】
【提出日】平成18年9月5日(2006.9.5)
【手続補正１】
【補正対象書類名】特許請求の範囲
【補正対象項目名】全文
【補正方法】変更
【補正の内容】
【特許請求の範囲】
【請求項１】
第１通知情報の中から第２通知情報を選択して出力する情報通知制御装置であって、
前記第１通知情報を受信する通知情報受信部と、
前記通知情報受信部が受信した第１通知情報の種類及び／または内容を解析する通知情報解析部と、
前記通知情報解析部による解析結果の時間的変化を管理するとともに、前記解析結果と対応付けて、前記通知情報受信部で受信した第１通知情報を保存する通知情報管理部と、
前記通知情報管理部で保存されている第１通知情報の解析結果の時間的変化からユーザ状況を判定するユーザ状況判定部と、
前記ユーザ状況に応じて前記通知情報管理部内の前記第１通知情報から前記第２通知情報を選択する通知情報選択部と、
前記第２通知情報を出力する出力部と、
を含むことを特徴とする情報通知制御装置。
【請求項２】
前記ユーザ状況に対応付けて前記第１通知情報の情報優先度を管理する情報優先度管理部をさらに含み、
前記通知情報選択部は、前記ユーザ状況判定部により判定したユーザ状況に対応する情報優先度に応じて、前記通知情報管理部内の前記第１通知情報から第２通知情報を選択することを特徴とする、請求項１に記載の情報通知制御装置。
【請求項３】
前記ユーザ状況に応じた前記第２通知情報の出力方法を管理する出力方法管理部をさらに含み、
前記出力部は、前記ユーザ状況判定部により判定したユーザ状況に対応する出力方法に応じて、前記第２通知情報を出力することを特徴とする、請求項１に記載の情報通知制御装置。
【請求項４】
前記通知情報解析部は、情報の送信元に基づいて情報をカテゴリ分けするための送信元リストを保持し、前記通知情報受信部で受信した第１通知情報に含まれる送信元に関する情報に対して、前記送信元リストを適用することで、受信した第１通知情報の種類及び／または内容を解析することを特徴とする請求項１に記載の情報通知制御装置。
【請求項５】
前記通知情報解析部は、特定の単語と情報カテゴリとの関連性を示す重み付き単語リストを保持し、前記通知情報受信部で受信した第１通知情報に含まれる単語に対して、前記重み付き単語リストを適用することで、第１通知情報の種類及び／または内容を解析することを特徴とする請求項１に記載の情報通知制御装置。
【請求項６】
前記通知情報解析部は、情報の意味的な関係を記述したオントロジーを保持し、前記通知情報受信部で受信した第１通知情報に含まれるメタデータに対して、前記オントロジーによる意味解釈を行うことで、第１通知情報の種類及び／または内容を解析することを特徴とする請求項１に記載の情報通知制御装置。
【請求項７】
前記通知情報解析部は、前記通知情報受信部で受信した第１通知情報に含まれる画像情報に対し画像認識を行うことで、情報の種類及び／または内容を解析することを特徴とする請求項１に記載の情報通知制御装置。
【請求項８】
ユーザ情報を取得するセンシング情報取得部を備え、
前記ユーザ状況判定部は、前記通知情報管理部で保存されている第１通知情報の解析結果の時間的変化に加え、前記センシング情報取得部から取得したユーザ情報の時間的変化に基づいてユーザの状況を判定することを特徴とする請求項１に記載の情報通知制御装置。
【請求項９】
前記通知情報管理部で保存されている第１通知情報には、第１通知情報の種類、内容および受信頻度の少なくとも一つが含まれており、
前記ユーザ状況判定部は、前記第１通知情報の種類、内容および受信頻度の少なくとも一つからユーザ状況を判定することを特徴とする請求項１に記載の情報通知制御装置。
【請求項１０】
前記出力部は、未送信の情報を集約して出力することを特徴とする、請求項２に記載の情報通知制御装置。
【請求項１１】
前記出力部は、前記情報優先度の低い情報を集約して出力することを特徴とする請求項１０に記載の情報通知制御装置。
【請求項１２】
前記情報優先度に対応付けて前記第２通知情報の出力タイミングを管理する出力タイミング管理部をさらに含み、
前記出力部は、前記第２通知情報の情報優先度に応じた出力タイミングで第２通知情報を出力することを特徴とする請求項２に記載の情報通知制御装置。
【請求項１３】
前記情報優先度に対応付けて前記第２通知情報を出力するユーザ端末を管理する出力端末管理部をさらに含み、
前記出力部は、前記第２通知情報の情報優先度に応じたユーザ端末に第２通知情報を通知することを特徴とする請求項２に記載の情報通知制御装置。
【請求項１４】
第１通知情報の中から第２通知情報を選択して出力する、コンピュータが実行する情報通知制御方法であって、
前記第１通知情報を受信する通知情報受信ステップと、
前記通知情報受信ステップで受信した第１通知情報の種類及び／または内容を解析する通知情報解析ステップと、
前記通知情報解析ステップによる解析結果の時間的変化を管理するとともに、前記解析結果と対応付けて、前記通知情報受信ステップで受信した第１通知情報を保存する通知情報管理ステップと、
前記通知情報管理ステップで保存されている第１通知情報の解析結果の時間的変化からユーザ状況を判定するユーザ状況判定ステップと、
前記ユーザ状況に応じて前記通知情報管理部ステップで記憶されている前記第１通知情報から第２通知情報を選択する通知情報選択ステップと、
前記第２通知情報を出力する出力ステップと、
を含むことを特徴とする情報通知制御方法。
【請求項１５】
第１通知情報の中から第２通知情報を選択して出力する情報通知制御プログラムであって、
前記第１通知情報を受信する通知情報受信手段、
前記通知情報受信手段が受信した第１通知情報の種類及び／または内容を解析する通知情報解析手段、
前記通知情報解析手段による解析結果の時間的変化を管理するとともに、前記解析結果と対応付けて、前記通知情報受信手段で受信した第１通知情報を保存する通知情報管理手段、
前記通知情報管理手段で保存されている第１通知情報の解析結果の時間的変化からユーザ状況を判定するユーザ状況判定手段、
前記ユーザ状況に応じて前記通知情報管理手段内の前記第１通知情報から前記第２通知情報を選択する通知情報選択手段、及び
前記第２通信通知情報を出力する出力手段としてコンピュータを機能させることを特徴とする情報通知制御プログラム。
【請求項１６】
第１通知情報の中から第２通知情報を選択して出力する情報通知制御装置が実行する情報通知制御プログラムを記録した、コンピュータ読み取り可能な記録媒体であって、
前記第１通知情報を受信する通知情報受信ステップと、
前記通知情報受信ステップで受信した第１通知情報の種類及び／または内容を解析する通知情報解析ステップと、
前記通知情報解析ステップによる解析結果の時間的変化を管理するとともに、前記解析結果と対応付けて、前記通知情報受信ステップで受信した第１通知情報を保存する通知情報管理ステップと、
前記通知情報管理ステップで保存されている第１通知情報の解析結果の時間的変化からユーザ状況を判定するユーザ状況判定ステップと、
前記ユーザ状況に応じて前記通知情報管理部ステップで記憶されている前記第１通知情報から前記第２通知情報を選択する通知情報選択ステップと、
前記第２通知情報を出力する出力ステップと、
を実行する情報通知制御プログラムを記録した、コンピュータ読み取り可能な記録媒体。
【手続補正２】
【補正対象書類名】明細書
【補正対象項目名】全文
【補正方法】変更
【補正の内容】
【発明の詳細な説明】
【技術分野】
【０００１】
本発明は、ユーザに対する情報通知の方法を制御する装置に関するものである。
【背景技術】
【０００２】
従来、ユーザに対する情報通知の方法を制御する装置としては、ユーザの現在位置に関する情報、ユーザの近傍にいる人や周辺にある店舗に関する情報を利用して、ユーザに通知する情報の種類や内容を決定するものがあった（例えば、特許文献１参照）。これによってユーザは、例えば近傍の店舗の広告情報など、現在の自分の居場所に応じた情報を受け取ることができる。
【０００３】
また、ユーザ宛に送信されたメールの内容を分析し、メールの中身に含まれる単語の種類や出現頻度から、そのメールがユーザにとって不要であるかどうかを判定する方法も提案されている。（例えば、特許文献２参照）。これによってユーザはスパムメールなど、不必要なメール受信によって不快になることを防止することができる。
【特許文献１】特開平１０−２１７３２６号公報
【特許文献２】特開２００１−２５６７９５号公報
【発明の開示】
【発明が解決しようとする課題】
【０００４】
しかしながら、ユーザに通知する情報を決定するのに、ユーザの位置や周辺情報などユーザ側の情報だけを用いるだけでは充分ではない。例えば、ホームセキュリティシステムから家族の安否に関わる情報を通知されているユーザに、周辺の娯楽情報を通知することは適切ではなく、ユーザの気分を害する可能性がある。
【０００５】
また、ユーザに通知する情報を判定するのに、単語の出現頻度など統計的な情報だけから、メールの内容を分析して、通知の可否を決定する方法だけでは充分ではない。例えば、普段は地域、コミュニティなどに関する単語を多く含む情報を不要メールとしてフィルタリングするユーザであっても、災害時などでは、自分の身の回りの被害を把握するために、地域に関する情報を多く含む情報を優先して収集しなくてはならない可能性もある。
【０００６】
本発明は、前記従来の課題を解決するもので、ユーザに適した情報を提供可能な情報通知制御装置、情報通知制御方法を提供することを目的とする。
【課題を解決するための手段】
【０００７】
前記課題を解決するために、本願第１発明は、第１通知情報の中から第２通知情報を選択して出力する情報通知制御装置を提供する。前記情報通知制御装置は、前記第１通知情報を受信する通知情報受信部と、前記通知情報受信部が受信した第１通知情報の種類及び／または内容を解析する通知情報解析部と、前記通知情報解析部による解析結果の時間的変化を管理するとともに、前記解析結果と対応付けて、前記通知情報受信部で受信した第１通知情報を保存する通知情報管理部と、前記通知情報管理部で保存されている第１通知情報の解析結果の時間的変化からユーザ状況を判定するユーザ状況判定部と、前記ユーザ状況に応じて前記通知情報管理部内の前記第１通知情報から前記第２通知情報を選択する通知情報選択部と、前記第２通知情報を出力する出力部とを含むことを特徴とする。
【０００８】
前記情報通知制御装置は、ユーザ状況の時間的変化に基づいて、ユーザ端末に通知される第１通知情報の中から第２通知情報を選択する。そして、選択された第２通知情報をユーザ端末又は自端末のディスプレイ等に出力するため、刻々と変化するユーザ状況に応じた情報をユーザに提供することができる。そのため、例えば以前はユーザが関心を有していなかった情報であっても、ユーザに提供される第１通知情報を例えば情報の種類、内容や頻度の面から解析して時間的変化を管理することで、ユーザが関心を示し始めたというユーザ状況の変化を検出することができる。そして、変化したユーザ状況に応じた情報を選択してユーザに提供することで、ユーザに適合する情報を提供することができる。この結果、地域の災害情報を待っているユーザに娯楽情報が通知され、ユーザの気分を害するような事態を防止することができる。
【０００９】
なお、情報通知制御装置がサーバ端末である場合、サーバ端末はユーザ端末に第２通知情報を出力する。第２通知情報を受信したユーザ端末は、第２通知情報を自端末のディスプレイ等において表示することによりユーザに提示する。一方、情報通知制御装置がユーザ端末である場合、ユーザ端末は自端末が選択した第２通知情報をディスプレイ等において表示する。
【００１０】
本願第２発明は、第１発明において、前記ユーザ状況に対応付けて前記第１通知情報の情報優先度を管理する情報優先度管理部をさらに含み、前記通知情報選択部は、前記ユーザ状況判定部により判定したユーザ状況に対応する情報優先度に応じて、前記通知情報管理部内の前記第１通知情報から第２通知情報を選択することを特徴とする情報通知制御装置を提供する。
【００１１】
前記情報通知制御装置は、ユーザ状況の時間的変化に応じて決定した第１通知情報の情報優先度に基づいて、第１通知情報の中から第２通知情報を選択する。このように、ユーザ状況に応じた情報優先度が管理されているため、刻々と変化するユーザ状況に応じて第１通知情報の中から情報優先度が高い情報を第２通知情報として選択することができる。よって、ユーザが欲する情報をユーザ端末又は自端末のディスプレイ等に出力することができる。
【００１２】
例えば、第１通知情報のカテゴリとして「安全情報」、「家族情報」、「仕事情報」及び「娯楽情報」があり、ユーザ状況として「安全優先」や「仕事優先」があるとする。ここで、状況依存情報管理部が、「安全優先」のユーザ状況に対しては、「仕事情報」及び「娯楽情報」の情報優先度が「小」、「安全情報」及び「家族情報」の情報優先度が「大」という対応付けを管理しているものとする。この場合、ユーザ状況が「安全優先」と判定された場合には、第１通知情報の中から情報優先度が高い「安全情報」及び「家族情報」のカテゴリに属する情報が選択され、第２通知情報としてユーザ端末又は自端末のディスプレイ等に出力される。
【００１３】
本願第３発明は、第１発明において、前記ユーザ状況に応じた前記第２通知情報の出力方法を管理する出力方法管理部をさらに含み、前記出力部は、前記ユーザ状況判定部により判定したユーザ状況に対応する出力方法に応じて、前記第２通知情報を出力することを特徴とする情報通知制御装置を提供する。
【００１４】
ユーザ状況に応じた出力方法で第２通知情報をユーザ端末又は自端末のディスプレイ等に出力することで、ユーザへの第２通知情報の提供を適切に行うことができる。例えば、ユーザ状況が「安全優先」であるとき、「安全情報」に関する情報を即時、ユーザが利用中のユーザ端末又は自端末のディスプレイ等に提供するという出力方法が管理されているとする。ここで、ユーザ状況が「安全優先」と判定されると、利用中のユーザ端末又は自端末のディスプレイ等に即時に「安全情報」に関する情報が選択されて出力されることでユーザ状況に応じた適切な情報の提供が行われる。
【００１５】
本願第４発明は、第１発明において、前記通知情報解析部は、情報の送信元に基づいて情報をカテゴリ分けするための送信元リストを保持し、前記通知情報受信部で受信した第１通知情報に含まれる送信元に関する情報に対して、前記送信元リストを適用することで、受信した第１通知情報の種類及び／または内容を解析することを特徴とする情報通知制御装置を提供する。
【００１６】
本構成によって、通知情報に対して複雑な意味解釈を行わずに、通知情報の種類及び／または内容を推測することが可能になる。
【００１７】
本願第５発明は、第１発明において、前記通知情報解析部は、特定の単語と情報カテゴリとの関連性を示す重み付き単語リストを保持し、前記通知情報受信部で受信した第１通知情報に含まれる単語に対して、前記重み付き単語リストを適用することで、第１通知情報の種類及び／または内容を解析することを特徴とする情報通知制御装置を提供する。
【００１８】
本構成によって、テキスト形式あるいはＨＴＭＬ形式のメールやインスタントメッセージを受信した際に、単語の出現頻度から、通知情報の種類及び／または内容を適切に推測することが可能になる。
【００１９】
本願第６発明は、第１発明において、前記通知情報解析部は、情報の意味的な関係を記述したオントロジーを保持し、前記通知情報受信部で受信した第１通知情報に含まれるメタデータに対して、前記オントロジーによる意味解釈を行うことで、第１通知情報の種類及び／または内容を解析することを特徴とする情報通知制御装置を提供する。
【００２０】
本構成によって、ＲＤＦ（Ｒｅｓｏｕｒｃｅ  Ｄｅｓｃｒｉｐｔｉｏｎ  Ｆｒａｍｅｗｏｒｋ）形式などのメタデータが、通知情報に添付されていた場合に、通知情報の種類及び／または内容をより詳細に判定することが可能になる。
【００２１】
本願第７発明は、第１発明において、前記通知情報解析部は、前記通知情報受信部で受信した第１通知情報に含まれる画像情報に対し画像認識を行うことで、情報の種類及び／または内容を解析することを特徴とする情報通知制御装置を提供する。
【００２２】
本構成によって、テキスト情報を含まない画像情報を通知情報として受け取った場合においても、通知情報の種類及び／または内容を推測することが可能になる。
【００２３】
本願第８発明は、第１発明において、ユーザ情報を取得するセンシング情報取得部を備え、前記ユーザ状況判定部は、前記通知情報管理部で保存されている第１通知情報の解析結果の時間的変化に加え、前記センシング情報取得部から取得したユーザ情報の時間的変化に基づいてユーザの状況を判定することを特徴とする情報通知制御装置を提供する。
【００２４】
前記ユーザ状況判定部が、前記通知情報管理部で保存されている通知情報の内容、種類および受信頻度に加え、前記センシング情報取得部から取得した現在のユーザの位置や周辺の情報をユーザの情報を利用して、ユーザの状況を判定する。よって、ユーザの現在位置や周辺情報を考慮してより詳細にユーザの状況を判断することができる。この結果、例えば、宅外にいるユーザにはホームセキュリティシステムからの情報通知の優先度を上げ、宅内にいるユーザにはホームセキュリティシステムからの情報通知の優先度を下げる、といった情報通知の制御が可能になる。
【００２５】
本願第９発明は、第１発明において、前記通知情報管理部で保存されている第１通知情報には、第１通知情報の種類、内容および受信頻度の少なくとも一つが含まれており、前記ユーザ状況判定部は、前記第１通知情報の種類、内容および受信頻度の少なくとも一つからユーザ状況を判定することを特徴とする情報通知制御装置を提供する。
【００２６】
本構成によって、家族からの通知情報が多い場合には、家族に関する情報配信を優先する状況に、取引先からの通知情報が多い場合には、家族に関する情報配信を控える状況にするなど、ユーザが受信する情報にあわせた情報の通知制御が実現される。
【００２７】
本願第１０発明は、第２発明において、前記出力部は、未送信の情報を集約して出力することを特徴とする。第１通知情報のうち未送信の情報を集約することで、未送信の情報の情報量を削減して送信することができる。
【００２８】
本願第１１発明は、第１０発明において、前記出力部は、前記情報優先度の低い情報を集約することを特徴とする情報通知制御装置を提供する。
【００２９】
本構成によって、現在のユーザにとって優先度の低い情報をユーザに通知する回数を削減し、また通知する情報の内容も簡潔にできるため、ユーザが優先度の低い情報を受信し、内容を確認するための時間を短縮することが出来る。この結果、ユーザが不要な情報に費やす時間を削減することができる。
【００３０】
本願第１２発明は、第２発明において、前記情報優先度に対応付けて前記第２通知情報の出力タイミングを管理する出力タイミング管理部をさらに含み、前記出力部は、前記第２通知情報の情報優先度に応じた出力タイミングで第２通知情報を出力することを特徴とする情報通知制御装置を提供する。
【００３１】
このように、出力部が前記優先度にあわせて情報を通知するタイミングを変更するため、優先度の低い情報の通知頻度を落とし、不要な情報の通知によってユーザが煩わされることを防止することができる。例えば、ユーザが映画鑑賞などを行っている時には優先度の低い情報は通知を行わず、ユーザが時間に余裕があるときには、優先度に関わらず即座に情報通知を行うなど、ユーザの状況に応じて適切な時間間隔で情報通知が行われ、ユーザが他の作業に没頭しているときに、頻繁な情報通知を行い、ユーザの気分を害するような事態を避けることができる。
【００３２】
本願第１３発明は、第２発明において、前記情報優先度に対応付けて前記第２通知情報を出力するユーザ端末を管理する出力端末管理部をさらに含み、前記出力部は、前記第２通知情報の情報優先度に応じたユーザ端末に第２通知情報を通知することを特徴とする情報通知制御装置を提供する。
【００３３】
前記通知方法制御部が、前記優先度にあわせて、情報を通知する端末を変更するため、優先度の高い情報は、ユーザが現在、使用している情報端末に送信し、優先度の低い情報は自宅の端末に蓄積しておくなどの処理が実現され、不必要な情報をユーザが利用中の端末に通知して現在のユーザの作業を妨げるような事態を避けることができる。
【００３４】
本願第１４発明は、される第１通知情報の中から第２通知情報を選択して出力する、コンピュータが実行する情報通知制御方法を提供する。情報通知制御方法は、次のステップを含む。前記第１通知情報を受信する通知情報受信ステップと、前記通知情報受信ステップで受信した第１通知情報の種類及び／または内容を解析する通知情報解析ステップと、前記通知情報解析ステップによる解析結果の時間的変化を管理するとともに、前記解析結果と対応付けて、前記通知情報受信ステップで受信した第１通知情報を保存する通知情報管理ステップと、前記通知情報管理ステップで保存されている第１通知情報の解析結果の時間的変化からユーザ状況を判定するユーザ状況判定ステップと、前記ユーザ状況に応じて前記通知情報管理部ステップで記憶されている前記第１通知情報から前記第２通知情報を選択する通知情報選択ステップと、前記第２通知情報を出力する出力ステップとを含むことを特徴とする情報通知制御方法を提供する。本願第１４発明は、第１発明と同様の作用効果を奏する。
【００３５】
本願第１５発明は、第１通知情報の中から第２通知情報を選択して出力する情報通知制御プログラムであって、前記第１通知情報を受信する通知情報受信手段、前記通知情報受信手段が受信した第１通知情報の種類及び／または内容を解析する通知情報解析手段、前記通知情報解析手段による解析結果の時間的変化を管理するとともに、前記解析結果と対応付けて、前記通知情報受信手段で受信した第１通知情報を保存する通知情報管理手段、前記通知情報管理手段で保存されている第１通知情報の解析結果の時間的変化からユーザ状況を判定するユーザ状況判定手段、前記ユーザ状況に応じて前記通知情報管理手段内の前記第１通知情報から前記第２通知情報を選択する通知情報選択手段、及び前記第２通信通知情報を出力する出力手段としてコンピュータを機能させることを特徴とする情報通知制御プログラムを提供する。
【００３６】
本願第１６発明は、第１通知情報の中から第２通知情報を選択して出力する情報通知制御装置が実行する情報通知制御プログラムを記録した、コンピュータ読み取り可能な記録媒体であって、前記第１通知情報を受信する通知情報受信ステップと、前記通知情報受信ステップで受信した第１通知情報の種類及び／または内容を解析する通知情報解析ステップと、前記通知情報解析ステップによる解析結果の時間的変化を管理するとともに、前記解析結果と対応付けて、前記通知情報受信ステップで受信した第１通知情報を保存する通知情報管理ステップと、前記通知情報管理ステップで保存されている第１通知情報の解析結果の時間的変化からユーザ状況を判定するユーザ状況判定ステップと、前記ユーザ状況に応じて前記通知情報管理部ステップで記憶されている前記第１通知情報から前記第２通知情報を選択する通知情報選択ステップと、前記第２通知情報を出力する出力ステップと、を実行する情報通知制御プログラムを記録した、コンピュータ読み取り可能な記録媒体を提供する。
【００３７】
前述した方法をコンピュータに実行させるコンピュータプログラム及びそのプログラムを記録したコンピュータ読み取り可能な記録媒体は、本発明の範囲に含まれる。ここで、コンピュータ読み取り可能な記録媒体としては、例えば、フレキシブルディスク、ハードディスク、ＣＤ−ＲＯＭ、ＭＯ、ＤＶＤ、ＤＶＤ−ＲＯＭ、ＤＶＤ−ＲＡＭ、ＢＤ（Ｂｌｕｅ−ｒａｙ  Ｄｉｓｃ）、半導体メモリを挙げることができる。
【００３８】
前記コンピュータプログラムは、前記記録媒体に記録されたものに限られず、電気通信回線、無線又は有線通信回線、インターネットを代表とするネットワーク等を経由して伝送されるものであってもよい。
【発明の効果】
【００３９】
本発明は、前記従来の課題を解決するもので、ユーザに適した情報を提供可能な情報通知制御装置、報通知制御方法を提供することができる。
【発明を実施するための最良の形態】
【００４０】
以下本発明の実施の形態について、図面を参照しながら説明する。
【００４１】
＜第１実施形態例＞
（１）構成
図１は、本発明の実施の形態１における情報通知制御装置の構成図である。情報通知制御装置１００は、通知情報受信部１０１、通知情報解析部１０２、通知情報管理部１０３、センシング情報取得部１０４、ユーザ状況判定部１０５、状況依存情報管理部１０６、通知情報選択部１０７及び通知方法制御部１０８を含む。情報通知制御装置１００は、携帯電話やパーソナルコンピューターなどユーザが保持するユーザ端末上やＨＭＤ（Head Mounted Display）などのウェアラブルな機器上に構成されてもよいし、ネットワーク上のサーバ端末に構築されていてもよい。また、情報通知制御装置１００は単一の端末あるいはサーバ上に構成されるのではなく、複数の端末やサーバを利用して構成されてもよい。なお、情報通知制御装置１００がサーバ端末である場合、サーバ端末は、サーバ端末が選択した第２通知情報をユーザ端末に出力する。第２通知情報を受信したユーザ端末は、第２通知情報を自端末のディスプレイ等において表示することによりユーザに提示する。一方、情報通知制御装置１００がユーザ端末である場合、ユーザ端末は自端末が選択した第２通知情報をディスプレイ等において表示する。
【００４２】
（通知情報受信部）
通知情報受信部１０１は、ユーザ端末に提供される第１通知情報を受信する。受信する第１通知情報は、どのような形式の情報であってもよく、例えば、テキストやＨＴＭＬ形式の情報であってもよいし、音声や映像などマルチメディア形式の情報であってもよい。第１通知情報を受信するための手段は特定の手段に限定するものではないが、ＰＯＰ３・ＩＭＡＰなどの電子メールプロトコルを用いてもよいし、インスタントメッセージを利用もよい。また、ＨＴＴＰ、ＨＴＴＰＳなどを用いてネットワーク上のサーバからユーザ宛の第１通知情報を取得する方法でもよい。
【００４３】
（通知情報解析部）
通知情報解析部１０２は、受信した第１通知情報を解析する。受信した第１通知情報の解析対象は、受信した第１通知情報および／または関連情報の、一部または全部であり、例えば、受信した第１通知情報が属する情報カテゴリや、情報の重要性や緊急性、または第１通知情報において使用される用語（関連用語を含む）の頻度などが挙げられる。また、人間の感性や感情などを考慮して、より高度な意味内容を判定してもよい。受信した第１通知情報を解析する方法としては、第１通知情報の送信元から情報カテゴリを推測してもよいし、受信した第１通知情報がテキスト形式であった場合には内部に含まれる単語の出現頻度などから内容を推測してもよい。また第１通知情報にＲＤＦ（Ｒｅｓｏｕｒｃｅ  Ｄｅｓｃｒｉｐｔｉｏｎ  Ｆｒａｍｅｗｏｒｋ）形式などで記述されたメタデータが添付されている場合には、そのメタデータを利用することで第１通知情報の内容を判定してもよい。受信した第１通知情報が、音声や画像形式であった場合には、音声認識、画像認識の技術を適応することで、第１通知情報の内容を判定してもよい。
【００４４】
（通知情報管理部）
通知情報管理部１０３は、通知情報受信部１０１で受信した第１通知情報と、通知情報解析部１０２での解析結果を合わせて保存する。解析結果には、第１通知情報の時間的変化の解析結果が含まれる。保存する方法は特定の手段に限定するものではないが、第１通知情報とその内容の解析結果を単一のデータベースに格納してもよいし、それぞれ別のデータベースに格納しても良い。また、第１通知情報ごとにディレクトリを設けて、第１通知情報の内容の判定結果を格納する方法でもよい。また、通知情報管理部１０３は、第１通知情報の内容の解析結果を利用して、情報カテゴリごとの受信頻度など、受信した第１通知情報の統計的な情報も管理する。
【００４５】
（センシング情報取得部）
センシング情報取得部１０４は、ユーザの現在位置や周辺の店舗に関する情報など、ユーザに関する情報を取得する。ユーザ情報を取得するための手段としては、携帯電話などユーザが保持しいている端末に搭載されているＧＰＳ（Ｇｌｏｂａｌ  Ｐｏｓｉｔｉｏｎｉｎｇ  Ｓｙｓｔｅｍ）によって位置情報を取得してもよいし、同じくユーザが保持している携帯端末に搭載されているＲＦＩＤ（Radio Frequency IDentification）リーダー機能、無線ＬＡＮ機能を利用して周辺の商品や店舗、建物などの情報を取得しても良い。あるいはユーザの現在の情報を管理するサーバであるプレゼンスサーバから、ユーザ情報を取得しても良い。
【００４６】
（ユーザ状況判定部）
ユーザ状況判定部１０５は、現在のユーザ状況を、情報通知制御装置１００内に定義されているユーザ状況のいずれに該当するのかを判定するための情報判定ルールを保持する。ここでユーザ状況とは情報通知制御装置１００においてユーザの状況を示すものであり、図７に示すように、平常時、仕事優先、娯楽優先及び安全優先など情報通知制御装置１００内に複数定義されている。通知情報管理部１０３が保持する情報と、センシング情報取得部１０４が取得した情報を、保持している情報判定ルールに適応し、その結果から現在のユーザ状況を決定する。
【００４７】
（状況依存情報管理部）
状況依存情報管理部１０６は、情報通知制御装置１００内に定義されている個々のユーザ状況に固有な情報を管理する。管理される情報として、自端末のディスプレイ等に出力する情報又はユーザ端末に通知する情報を選択する際に用いられる情報優先度や、自端末のディスプレイ等に出力する方法又はユーザ端末に情報を通知する方法を記述した通知方法リストを管理する。なお、特許請求の範囲の出力方法管理部及び情報優先度管理部は、状況依存情報管理部１０６に相当する。
【００４８】
（通知情報選択部）
通知情報選択部１０７は、ユーザ状況判定部１０５が判定した現在のユーザ状況に対応する情報優先度を状況依存情報管理部１０７から取得する。取得した情報優先度にしたがって、通知情報管理部１０３が保持している第１通知情報の中から、ユーザ端末又は自端末のディスプレイ等に通知すべきものを選択する。
【００４９】
（通知方法制御部）
通知方法制御部１０８は、ユーザ状況判定部１０５が判定した現在のユーザ状況に対応する通知方法を状況依存情報管理部１０７内の通知方法リストから取得する。取得した通知方法リストにしたがって、通知情報選択部１０７が第１通知情報から選択した第２通知情報を通知する方法を決定し、ユーザ端末又は自端末のディスプレイ等に対する情報の通知を実行する。なお、通知方法制御部１０８は、通知方法リストを状況依存情報管理部１０７から取得しても良い。
【００５０】
かかる構成によれば、ユーザに提供される第１通知情報およびユーザ周辺の状況から、現在のユーザの状況を判定し、その状況に応じた第２通知情報を選択し、状況に応じた通知手段でユーザ端末又は自端末のディスプレイ等に向けて通知する情報通知制御装置が実現できる。
【００５１】
（２）動作方法
次に、本発明における情報通知制御装置の動作を示す。本実施の形態における情報通知制御装置は図２に示すステップＳ２０１〜Ｓ２０７のステップに従うことで、ユーザ端末又は自端末のディスプレイ等に対する情報通知を実現する。
【００５２】
（ステップＳ２０１）
通知情報受信部１０１が、ユーザ宛に送信された第１通知情報を受信する。第１通知情報の例を図３Ａ〜図３Ｄに示す。図３Ａは、家族から送信されたメールなどを含む家族からの情報３０１を示す。図３Ｂは、仕事の関係者から送られた仕事に関係するメールなどを含む仕事の情報３０２を示す。図３Ｃは、メールマガジンなどの娯楽情報を伝達するメールなどを含む娯楽に関する情報３０３を示す図３Ｄは、ホームセキュリティシステムが撮影した玄関の画像を含むメールなどを含むセキュリティシステムからの情報３０４を示す。なお、本実施例では第１通知情報を全てメールとして扱っているが、前述したように情報の受信形式及び受信方法はメールに限定されるものではなく、インスタントメッセージなどを用いても良い。
【００５３】
通知情報受信部１０１は、受信した第１通知情報を通知情報解析部１０２へと送信する。
【００５４】
（ステップＳ２０２）
通知情報解析部１０２は、通知情報受信部１０１から渡された第１通知情報に対して、情報の種類及び／または内容を解析する。第１通知情報を解析する方法の例としては以下の方法が挙げられる。
【００５５】
（Ａ．  送信元リストを利用する方法）
図４Ａは、第１通知情報が含む送信元の情報と特定の情報カテゴリとの対応を示す送信元リストである。この図４Ａの送信元リストを用いることにより、第１通知情報を特定の情報カテゴリに分類することができる。例えば、家族からの情報３０１（メールアドレス：jitaku@jitaku.com）は家族情報、仕事の情報３０２（メールアドレス：xxx@xxxxx.com）は仕事情報、娯楽に関する情報３０３（メールアドレス：goraku@goraku.co.jp）は娯楽情報、セキュリティシステムからの情報３０４（メールアドレス：alert@security.com）は家族情報および安全情報の情報カテゴリの情報として分類される。
【００５６】
（Ｂ．  重み付け単語リストを利用する方法）
図４Ｂは、第１通知情報に含まれる単語から、第１通知情報の情報カテゴリを判定する際に用いられる重み付け単語リスト４０２である。この単語リストを用いて、第１通知情報に含まれる単語から、各情報カテゴリ毎のスコア付けを行う。例えば、家族からの情報３０１の第１通知情報の場合、第１通知情報内には「父」「太郎」「学校」がそれぞれ一回出現する。よって、単語リスト４０２に基づいて、家族からの情報３０１は家族情報のカテゴリに対して６の重みを持つ。しかし、「研究センター」「特許」といった仕事関係の単語を含まないため仕事情報カテゴリに対しては、０の重みしか持たない。このような重み付けを第１通知情報に行ったあと、特定の情報カテゴリに対する重みが一定の閾値を超えた場合に、第１通知情報は、その情報カテゴリに属する情報と判断する。
【００５７】
（Ｃ．  メタデータを利用する方法）
図４Ｃは、単語同士の意味的な関連を記述したオントロジー４０３であり、ＯＷＬ（Ｗｅｂ  Ｏｎｔｏｌｏｇｙ  Ｌａｎｇｕａｇｅ）などで記述されたデータである。オントロジー４０３の例では、「映画情報」は「娯楽情報」に含まれる情報であり、「ｍｏｖｉｅ」や「ａｃｔｏｒ」といった言葉は映画情報として扱われることを示している。このオントロジーと、第１通知情報自身が含むメタデータを利用することで第１通知情報の内容を判定することができる。例えば、図３に示す娯楽に関する情報３０３は、メールの意味内容をＸＭＬ形式で記述したメタデータを含む第１通知情報である。通知情報解析部１０２は、このメタデータをオントロジー４０３を用いて解釈することで、娯楽に関する情報３０３は娯楽情報に属する第１通知情報であることを判定する。
【００５８】
通知情報解析部１０２は、上記のＡ，Ｂ，Ｃ方法のいずれか、もしくはすべてを用いて第１通知情報の種類及び／または内容の解析を行い、その解析結果を通知情報管理部１０３に通知する。
【００５９】
なお、この例では、第１通知情報の解析結果として、情報カテゴリだけを扱っているが、前述したようにより高度な意味内容を判定しても良い。
【００６０】
（ステップ２０３）
通知情報管理部１０３は、通知情報解析部１０２から、第１通知情報及び解析結果を受信して、それらを関連付けて保存する。
【００６１】
図５は、第１通知情報及び通知情報解析部１０２による解析結果を保存する形式の例を示す。この例では情報はデータベースのテーブル形式として保存されている。図５では、第１通知情報自体は情報通知制御装置１００内の特定のディレクトリに保存され、解析結果を保存するテーブルにはそのパス名が書かれているが、第１通知情報自体を直接、データベースのテーブルに保存されてもよい。また、必ずしもテーブル形式で保存する必要は無く、ＸＭＬ、ＣＳＶファイルなどで保存しても構わない。
【００６２】
また、通知情報管理部１０３は、第１通知情報の解析結果や受信日時などから図６に示すように、情報受信頻度の時間的変化などの統計的な情報を生成し管理する。図６の統計情報テーブルには、情報カテゴリ毎に、第１通知情報の受信数、受信頻度及び未通知数などが１レコードに記述されている。図６は、2004/08/31の12:15:40時点から2004/08/31の14:15:40時点への統計情報の時間推移を示す。なお、統計情報テーブル６０１及び６０２の形式はあくまで一例であり、統計情報は情報カテゴリごとの受信頻度に限定されるものではなく、またその頻度を算出するための受信間隔も図６に示した間隔に限定されるものではない。
【００６３】
なお、図６に示すような情報は、常時保管するのではなく、必要に応じて逐次、図５に保存されている情報カテゴリ、受信日時などから計算する方法でも良い。
【００６４】
（ステップＳ２０４）
センシング情報取得部１０４は、位置情報や、近傍の人や店舗に関する情報など、ユーザに関する情報を取得する。
【００６５】
（ステップＳ２０５）
図７は、本実施形態例における情報通知制御装置１００に定義されているユーザ状況およびそれらの状態遷移図を示す。図７に示すように、ユーザ状況としては平常時、娯楽優先、仕事優先及び安全優先などが挙げられ、矢印で示されるような多様に状況が変化する。
【００６６】
ユーザ状況判定部１０５は、通知情報管理部１０３が保持する情報と、センシング情報取得部１０４が取得した情報から、現在のユーザ状況が図７のいずれに該当するのかを判定する。
【００６７】
ユーザ状況判定部１０５は、現在のユーザ状況を判定するために、図８に示すようなユーザ状況の判定ルールを用いて、以下のようにユーザ状況の判定を行う。図８のユーザ状況の判定ルールには、ユーザ状況の状況遷移パターン毎に、どのような遷移条件であれば各状況遷移パターンに当てはまるのかが記述されている。
【００６８】
ここで、現在のユーザ状況を「仕事優先」であるとし、通知情報管理部１０３が保持する第１通知情報の統計情報が統計情報６０１であり、センシング情報受信部１０４が取得するユーザの位置情報を「宅外」であるものとする。このとき、ユーザ状況の判定に利用されるルールとしては、現在のユーザ状況である「仕事優先」に基づいて、ルールＩＤが「２」の判定ルールが選択される。ルールＩＤが「２」は、「仕事優先」から「安全優先」への状況遷移パターンであり、「安全優先」に遷移すべきかどうかを判定するための遷移条件が記述されている。実際にこの遷移を実行するかどうかは、通知情報管理部１０３およびセンシング情報取得部１０４の情報に基づいて遷移条件の記述が満たされるかどうかを判断することによって決定する。
【００６９】
この例では、前述したようにセンシング情報取得部１０４から取得されるユーザの現在位置は「宅外」であるため、遷移条件のセンシング情報部分の条件は満たされる。また、図６に示す統計情報６０１から最近３０分間に、「安全情報」および「家族情報」のカテゴリに属する情報の受信がともに１５通を越えていることが分かる。よって、図８の第１通知情報のカテゴリおよび情報受信頻度に関する遷移条件も満たされていると判断される。このとき、ユーザ状況判定部１０５は、現在のユーザ状況は「仕事優先」から「安全優先」に遷移したと判断し、その情報を通知情報選択部１０７および通知方法制御部１０８に対して通知する。
【００７０】
またその後、図６に示すように、通知情報管理部１０３が保持する第１通知情報の統計情報６０１が統計情報６０２に変化した場合、ユーザ状況判定部１０５は、現在のユーザ状況である「安全優先」から図８のルールＩＤが「４」である判定ルールを選択する。そして、変化後の統計情報６０２およびセンシング情報取得部１０４が保持する情報が、遷移条件を満たすかどうかの判定を行う。ルールＩＤが「４」の遷移条件においてはセンシング情報は任意である。よって、センシング情報取得部１０４が保持する情報に関わらず、センシング情報に関する遷移条件は成立する。統計情報６０２では、最近１時間以内に家族情報あるいは安全情報に属する情報が配信されていないことが記されているため、通知情報カテゴリおよび情報受信頻度に関する遷移条件も満たされている。そのため、ユーザ状況判定部１０５は、現在のユーザ状況が「安全優先」から「平常時」へと変更されたとの判定を行い、その情報をその情報を、通知情報選択部１０７および通知方法制御部１０８に対して通知する。
【００７１】
このように、ユーザ状況判定部１０５は、ユーザ端末に提供されている情報の種類及び／または内容およびそれらの受信頻度からユーザの現在の状況を判定する。これにより家族からのメールなどの家族からの情報３０１や、ホームセキュリティシステムからの情報３０２などの通知が増えた場合は、ユーザ状況を「安全優先」に変更する。一方、家族からの情報３０１やホームセキュリティシステムからの情報３０２などのメールが通知されなくなった場合は、ユーザ状況を「平常時」に変更するといったユーザ端末が受信する第１通知情報に基づいたユーザ状況の判定処理が可能になる。
【００７２】
なお、ユーザ状況の判定を行うタイミングは、第１通知情報を受信するごとに行ってもよいし、一定の時間間隔ごとに行っても良い。また図８に示した判定ルールの形式は一例であり、ニューラルネットワークなどのソフトコンピューティング技術を用いたより複雑な判定ルールを用いてもよいし、他の形式を用いても良い。
【００７３】
（ステップＳ２０６）
通知情報選択部１０７は、前記ステップＳ２０５でユーザ状況判定部１０５が判定したユーザ状況に基づいて、ユーザ端末又は自端末のディスプレイ等に出力する第２通知情報を、通知情報管理部１０３が保存している第１通知情報の中から選択する。通知情報を選択する際の基準値として、通知情報選択部１０７は、ユーザ状況判定部１０５からユーザ状況の変更通知を受けると、変更先のユーザ状況に対応する情報優先度リストを状況依存情報管理部１０６から取得する。
【００７４】
図９Ａから図９Ｄは、状況依存情報管理部１０６が保持するユーザ状況の各々に対応した情報優先度リストの例を示す。図９Ａはユーザ状況が「安全優先」の時の情報優先度リスト９０１であり、図９Ｂはユーザ状況が「仕事優先」の時の情報優先度リスト９０２であり、図９Ｃはユーザ状況が「娯楽優先」の時の情報優先度リスト９０３であり、図９Ｄはユーザ状況が「平常時」の時の情報優先度リストである。情報優先度は、通知情報管理部１０３が保存している第１通知情報の中から、どの情報を優先してユーザに通知すべきかを判断する基準値であり、優先度が高い情報ほど、受信してから即座にユーザに通知されやすくなる。図９に示す情報優先度リストは、情報カテゴリ毎に情報優先度を設定し保持している。
【００７５】
ここで、通知情報選択部１０７が通知情報管理部１０３に保存されている情報の中から、ユーザに通知すべき第２通知情報を選択する例を示す。この例では現在のユーザ状況が「安全優先」であるとし、通知情報管理部１０３では図５に示す第１通知情報が管理されているものとする。このとき、通知情報選択部１０７は、状況依存管理部１０６からユーザ状況が「安全優先」の時の状況優先度リスト９０１を取得する。この状況優先度リスト９０１中では、「安全情報」および「家族情報」の優先度が最大である。よって、通知情報選択部１０７は、図５で管理されている情報の中から「安全情報」、「家族情報」である受信ＩＤ「１」、受信ＩＤ「４」の第１通知情報を第２通知情報として選択する。そして、通知情報選択部１０７は、状況優先度リスト９０１に基づく優先度及び選択した第２通知情報を通知方法制御部１０８へと送信する。その後、通知情報管理部１０３中に、安全情報もしくは家族情報に分類される第１通知情報が存在しなくなった場合には、状況優先度リスト９０１において「安全情報」および「家族情報」についで優先度が高い「仕事情報」に関する第１通知情報を第２通知情報として選択する。この例では、図５における受信ＩＤ「２」の第２通知情報および優先度が通知方法制御部１０８へと通知される。
【００７６】
なお、通知情報選択部１０７において、第１通知情報からの第２通知情報を選択するタイミングは、通知情報受信部１０１が第１通知情報を受信した瞬間に行ってもよいし、一定の時間間隔で行っても良い。あるいは通知方法制御部の要求を受けたタイミングで、第２通知情報の選択を行っても良い。
【００７７】
（ステップＳ２０７）
通知方法制御部１０８は、前記ステップ２０６で通知情報選択部１０７が選択した第２通知情報をユーザ端末又は自端末のディスプレイ等に通知する際の方法を、前記ステップ２０５でユーザ状況判定部１０５が判定したユーザ状況に基づいて決定する。
【００７８】
ユーザ状況に応じた第２通知情報の通知方法を決定するために、通知情報制御部１０８は、ユーザ状況判定部１０５からユーザ状況の変更通知を受けると、変更先のユーザ状況に対応する情報通知方法を状況依存情報管理部１０６内の情報通知方法リストから取得する。
【００７９】
図１０は、状況依存情報管理部１０６が管理する情報通知リストの例を示す。情報通知方法リストは、ユーザ端末又は自端末のディスプレイ等に情報を通知する際の方法を保持するリストであり、本実施の形態では、情報優先度ごとに、第２通知情報を通知する通知間隔、第２通知情報を通知する通知対象端末、通知情報に対する加工手段が記されている。なおここでの情報優先度は前述の情報優先度リストで与えられる値である。
【００８０】
ここで、通知方法制御部１０８が、通知情報選択部１０７で選択された情報を、ユーザ端末又は自端末のディスプレイ等に通知する例を示す。この例では現在のユーザ状況を「安全優先」とし、図９に示す情報優先度リスト９０１、および図１０に示す情報通知方法リストを用いるものとする。図９の情報優先度リスト９０１から、「安全情報」及び「家族情報」の情報優先度が「１０」が分かる。ここで、通知情報選択部１０７が図５の受信ＩＤ「２」および受信ＩＤ「４」の「家族情報」および「安全情報」に属する第２通知情報を、それぞれ優先度「１０」で通知方法制御部１０８へ送信した場合、通知方法制御部１０８は受信した第２通知情報の優先度に対応する情報通知方法を情報通知方法リストから選択する。図１０の情報通知方法リストで、優先度「１０」の第２通知情報に対応する情報通知方法は通知方法ＩＤ「１」であるので、通知方法制御部１０８は通知方法ＩＤ「１」の記述に従って、第２通知情報をユーザ端末又は自端末のディスプレイ等に通知する。この場合、第２通知情報は即座に、ユーザが現在利用中の端末（携帯電話やノートＰＣなど）に送信される。
【００８１】
また、通知情報選択部１０７が、図５の受信ＩＤ「２」の「仕事情報」に属する第２通知情報を、優先度「５」で通知方法制御部１０８へ送信した場合、通知方法制御部１０８は、優先度「５」に対応する情報通知方法を情報通知方法リストから選択する。優先度「５」の情報に対応する情報通知方法は通知方法ＩＤ「３」であるので、通知方法制御部１０８は通知方法ＩＤ「３」の記述に従って、第２通知情報をユーザ端末又は自端末のディスプレイ等に通知する。この場合、以前に優先度「３」〜「５」に属する情報が送信された時間から３０分立ってから受信ＩＤ「２」の第２通知情報が送信される。また、受信ＩＤ「２」の情報が送信を待っている間に、優先度が「３」〜「５」の第２通知情報が、通知情報選択部１０７から別途に渡された場合には、通知方法ＩＤ「３」の記述に従い、未送信情報の要約が生成される。これは図１１に示すように、複数の第２通知情報から要約情報を生成する処理である。図１１において、未送信情報１１０１、１１０２は通知間隔の制限などの理由で通知方法制御部１０８によってユーザ端末又は自端末のディスプレイ等に送信されずに保持されている未送信情報である。未送信情報１１０３はそれらの未送信情報１１０１及び１１０２から生成された要約情報を示す。要約の生成方法は、特定の方法に制限するものではないが図１１のように通知情報の送信者やＳｕｂｊｅｃｔなどのリストから要約を生成する方法が考えられる。生成された要約は第２通知情報として、前回の優先度「３」〜「５」の情報が送信されてから３０分後に送信される。この例で示すように優先度の低い第２通知情報を集約することで、ユーザ端末又は自端末のディスプレイ等に対する情報通知の量や頻度を削減することが可能になる。
【００８２】
また、優先度「０」の情報が通知情報選択部１０７から送信された場合、通知方法制御部１０８は通知方法ＩＤ「５」の記述に従い、ユーザ状況が「安全優先」である限りユーザ端末又は自端末のディスプレイ等には送信しない。
【００８３】
なお、ステップ２０４を実行する順番は、ステップ２０１〜２０３と入れ替わってもよいし、あるいは２０１〜２０３と並行して実行されていても良い。
【００８４】
（作用効果）
上記情報通知制御装置１００は、ユーザ状況の時間的変化に応じて決定した第１通知情報の情報優先度に基づいて、配信される第１通知情報の中から第２通知情報を選択する。そして、選択された第２通知情報をユーザ端末又は自端末のディスプレイ等に出力するため、刻々と変化するユーザ状況に応じた情報をユーザに提供することができる。そのため、例えば以前はユーザが関心を有していなかった情報であっても、ユーザに提供される第１通知情報を例えば情報の種類、内容や頻度の面から解析して時間的変化を管理することで、ユーザが関心を示し始めたというユーザ状況の変化を検出することができる。そして、変化したユーザ状況に応じた情報を選択してユーザに提供することで、ユーザに適合する情報を提供することができる。この結果、地域の災害情報を待っているユーザに娯楽情報が通知され、ユーザの気分を害するような事態を防止することができる。また、通知方法制御部１０８は、ユーザ状況に応じた出力方法で第２通知情報をユーザ端末又は自端末のディスプレイ等に出力するため、ユーザへの第２通知情報の提供を適切に行うことができる。
【００８５】
＜その他の実施形態例＞
（１）
上記実施形態例において、情報通知制御装置１００はユーザ端末に第２通知情報を出力するサーバ端末であり得るし、あるいはユーザ端末であり得る。また、情報通知制御装置１００内の機能部の一部はサーバ端末に含まれ、残りの一部はユーザ端末に含まれ得る。
【００８６】
図１２は、ユーザ端末及びサーバ端末を含むネットワーク構成図である。サーバ端末１５０及びユーザ端末（１６０ａ、１６０ｂ、１６０ｃ・・・）１６０がネットワーク１７０を介して接続されている。情報通知制御装置１００がサーバ端末１５０である場合は、サーバ端末１５０は、通知情報受信部１０１、通知情報解析部１０２、通知情報管理部１０３、センシング情報取得部１０４、ユーザ状況判定部１０５、状況依存情報管理部１０６、通知情報選択部１０７及び通知方法制御部１０８を含む。サーバ端末１５０の通知情報受信部１０１、通知情報解析部１０２及び通知情報管理部１０３は、受信した第１通知情報の解析を行って管理する。サーバ端末１５０のセンシング情報取得部１０４及びユーザ状況判定部１０５は、ユーザの状況を取得して判定する。また、サーバ端末１５０の状況依存情報管理部１０６は情報優先度及び通知方法などを記述した通知方法リストを管理している。サーバ端末１５０の通知情報選択部１０７はユーザ状況に対応する情報優先度に応じて、通知情報管理部１０３が管理する第１通知情報から第２通知情報を選択する。そして、サーバ端末１５０の通知方法制御部１０８は、現在のユーザ状況に対応した通知方法に応じて、各ユーザ端末１６０に第２通知情報を出力する。よって、ユーザ端末１６０はサーバ端末１５０から取得した第２通知情報を、自端末のディスプレイ等に表示してユーザに提示する。この場合、ユーザ端末１６０は、サーバ端末１５０が選択した第２通知情報のみを受信して表示するため、配信される第１通知情報を全て受信しない。このとき、ユーザ端末１６０は、第１通知情報から第２通知情報を選択する手間が不要である。
【００８７】
また、情報通知制御装置１００がユーザ端末１６０である場合は、ユーザ端末１６０は、通知情報受信部１０１、通知情報解析部１０２、通知情報管理部１０３、センシング情報取得部１０４、ユーザ状況判定部１０５、状況依存情報管理部１０６、通知情報選択部１０７及び通知方法制御部１０８を含む。ユーザ端末１６０の通知情報受信部１０１、通知情報解析部１０２及び通知情報管理部１０３は、受信した第１通知情報の解析を行って管理する。ユーザ端末１６０のセンシング情報取得部１０４及びユーザ状況判定部１０５は、ユーザの状況を取得して判定する。また、ユーザ端末１６０の状況依存情報管理部１０６は情報優先度及び通知方法などを記述した通知方法リストを管理している。ユーザ端末１６０の通知情報選択部１０７はユーザ状況に対応する情報優先度に応じて、通知情報管理部１０３が管理する第１通知情報から情報を選択する。そして、ユーザ端末１６０の通知方法制御部１０８は、現在のユーザ状況に対応した通知方法に応じて第２通知情報を出力する。このとき、ユーザ端末１６０自身が第１通知情報から第２通知情報を選択しており、自装置のディスプレイ等に第２通知情報を出力して表示する。
【００８８】
図１３は、情報通知制御装置１００の各機能部がサーバ端末及びユーザ端末に分散されている様子を示す説明図である。サーバ端末１５０は、通知情報受信部１０１、通知情報解析部１０２、通知情報管理部１０３を含み、ユーザ端末１６０は、センシング情報取得部１０４、ユーザ状況判定部１０５、状況依存情報管理部１０６、通知情報選択部１０７及び通知方法制御部１０８を含む。サーバ端末１５０の通知情報受信部１０１、通知情報解析部１０２及び通知情報管理部１０３は、受信した第１通知情報の解析を行って管理する。ユーザ端末１６０のセンシング情報取得部１０４及びユーザ状況判定部１０５は、ユーザの状況を取得して判定する。また、ユーザ端末１６０の状況依存情報管理部１０６は情報優先度及び通知方法などを記述した通知方法リストを管理している。ユーザ端末１６０の通知情報選択部１０７はユーザ状況に対応する情報優先度に応じて、サーバ端末１５０の通知情報管理部１０３が管理する第１通知情報から情報を選択する。そして、ユーザ端末１６０の通知方法制御部１０８は、現在のユーザ状況に対応した通知方法に応じて第２通知情報を出力する。このとき、ユーザ端末１６０自身が第１通知情報から第２通知情報を選択しており、自装置のディスプレイ等に第２通知情報を出力して表示する。
【００８９】
（２）
前述した方法をコンピュータに実行させるコンピュータプログラム及びそのプログラムを記録したコンピュータ読み取り可能な記録媒体は、本発明の範囲に含まれる。ここで、コンピュータ読み取り可能な記録媒体としては、例えば、フレキシブルディスク、ハードディスク、ＣＤ−ＲＯＭ、ＭＯ、ＤＶＤ、ＤＶＤ−ＲＯＭ、ＤＶＤ−ＲＡＭ、ＢＤ（Ｂｌｕｅ−ｒａｙ  Ｄｉｓｃ）、半導体メモリを挙げることができる。
【００９０】
前記コンピュータプログラムは、前記記録媒体に記録されたものに限られず、電気通信回線、無線又は有線通信回線、インターネットを代表とするネットワーク等を経由して伝送されるものであってもよい。
【００９１】
（３）
各実施の形態で説明した情報通知制御装置の機能を集積回路であるＬＳＩとして実現しても良い。ここでは、ＬＳＩとしたが、集積度の違いにより、ＩＣ、システムＬＳＩ、スーパーＬＳＩ、ウルトラＬＳＩと呼称されることもある。
【００９２】
また、集積回路化の手法はＬＳＩに限るものではなく、専用回路又は汎用プロセサで実現してもよい。ＬＳＩ製造後に、プログラムすることが可能なＦＰＧＡ（Ｆｉｅｌｄ  Ｐｒｏｇｒａｍｍａｂｌｅ  Ｇａｔｅ  Ａｒｒａｙ）や、ＬＳＩ内部の回路セルの接続や設定を再構成可能なリコンフィギュラブル・プロセッサーを利用しても良い。
【産業上の利用可能性】
【００９３】
本発明にかかる情報通知制御装置は、ユーザの受信した情報からユーザの状況を判断する機能を有し、ユーザに対する情報通知を制御するシステムとして等として有用である。
【図面の簡単な説明】
【００９４】
【図１】本発明の実施の形態１における情報通知制御装置の構成図。
【図２】本発明における情報通知制御装置の動作の流れを示すフローチャートの一例。
【図３Ａ】家族からの情報３０１の一例。
【図３Ｂ】仕事の情報３０２の一例。
【図３Ｃ】娯楽に関する情報３０３の一例。
【図３Ｄ】セキュリティシステムからの情報３０４の一例。
【図４Ａ】送信元リストの一例。
【図４Ｂ】重み付け単語リスト４０２の一例。
【図４Ｃ】オントロジー４０３の一例。
【図５】第１通知情報及び通知情報解析部１０２による解析結果を保存する形式の例。
【図６】統計情報テーブルの一例。
【図７】本実施形態例における情報通知制御装置１００に定義されているユーザ状況およびそれらの状態遷移図。
【図８】ユーザ状況の判定ルール。
【図９Ａ】ユーザ状況が「安全優先」の時の情報優先度リスト９０１の一例。
【図９Ｂ】ユーザ状況が「仕事優先」の時の情報優先度リスト９０２の一例。
【図９Ｃ】ユーザ状況が「娯楽優先」の時の情報優先度リスト９０３の一例。
【図９Ｄ】ユーザ状況が「平常時」の時の情報優先度リストの一例。
【図１０】状況依存情報管理部１０６が管理する情報通知リストの例。
【図１１】複数の第２通知情報から要約情報を生成する処理の一例。
【図１２】ユーザ端末及びサーバ端末を含むネットワーク構成図。
【図１３】情報通知制御装置１００の各機能部がサーバ端末及びユーザ端末に分散されている様子を示す説明図。
【符号の説明】
【００９５】
１００：情報通知制御装置
１０１：通知情報受信部
１０２：通知情報解析部
１０３：通知情報管理部
１０４：センシング情報受信部
１０５：ユーザ状況判定部
１０６：状況依存情報管理部
１０７：通知情報選択部
１０８：通知情報制御部
１５０：サーバ端末
１６０：ユーザ端末
【手続補正３】
【補正対象書類名】図面
【補正対象項目名】全図
【補正方法】変更
【補正の内容】
【図１】
2006075512.tif 000023
【図２】
2006075512.tif 000024
【図３Ａ】
2006075512.tif 000025
【図３Ｂ】
2006075512.tif 000026
【図３Ｃ】
2006075512.tif 000027
【図３Ｄ】
2006075512.tif 000028
【図４Ａ】
2006075512.tif 000029
【図４Ｂ】
2006075512.tif 000030
【図４Ｃ】
2006075512.tif 000031
【図５】
2006075512.tif 000032
【図６】
2006075512.tif 000033
【図７】
2006075512.tif 000034
【図８】
2006075512.tif 000035
【図９Ａ】
2006075512.tif 000036
【図９Ｂ】
2006075512.tif 000037
【図９Ｃ】
2006075512.tif 000038
【図９Ｄ】
2006075512.tif 000039
【図１０】
2006075512.tif 000040
【図１１】
2006075512.tif 000041
【図１２】
2006075512.tif 000042
【図１３】
2006075512.tif 000043
【国際調査報告】
2006075512.tif 000044
2006075512.tif 000045
2006075512.tif 000046
2006075512.tif 000047